(57)【要約】【課題】  利用者の好みに合う写真を、ゆっくり楽しみながら、撮影、編集できるようにすること。【解決手段】  利用者による操作を受け付ける機能および利用者に対し各種表示を行う機能をもつ複数のサテライトと、利用者である被写体を撮影するための複数のスタジオと、前記スタジオで撮影した被写体画像を元にした画像をプリントするプリンタシステムとを備え、入館時に利用者に対して配布され退館時に利用者から回収されるＩＣカードに、利用者に対して前記自動写真館内の特定の前記サテライトや特定の前記スタジオの使用を許可する情報を書き込み可能として、館内のサテライトやスタジオの稼動状況（使用状況）を監視しているコンピュータシステムは、ＩＣカードを所持する利用者がその時点における、特定のサテライトまたは特定のスタジオを使用できる適合者であるか否かを判定し、適合者である場合には、特定のサテライトまたは特定のスタジオの使用を、ＩＣカードを所持する利用者に許可する。【選択図】      図１
2007013637.tif 000002
【特許請求の範囲】
【請求項１】
利用者による操作を受け付ける機能および利用者に対し各種表示を行う機能をもつ複数のサテライトと、利用者である被写体を撮影するための複数のスタジオと、前記スタジオで撮影した被写体画像を元にした画像をプリントするプリンタシステムとを、備えた自動写真館であって、
入館時に利用者に対して配布され退館時に利用者から回収される情報記憶媒体に、利用者に対して前記自動写真館内の特定の前記サテライトや特定の前記スタジオの使用を許可する情報を書き込み可能として、
前記自動写真館内の前記サテライトや前記スタジオの稼動状況（使用状況）を監視しているコンピュータシステムは、前記情報記憶媒体を所持する利用者がその時点における、特定の前記サテライトまたは特定の前記スタジオを使用できる適合者であるか否かを判定し、適合者である場合には、特定の前記サテライトまたは特定の前記スタジオの使用を、前記情報記憶媒体を所持する利用者に許可することを特徴とする自動写真館。
【請求項２】
請求項１に記載の自動写真館において、
対人による応接を行うカウンタが設けられ、
前記カウンタにおいて入館時に利用者に対して配布される前記情報記憶媒体には、利用者の入館時に前記自動写真館の運営側において、利用者に対して特定の前記サテライトの使用を許可する情報を書き込むと共に、特定の前記サテライトにおける利用者の操作に基づいて、利用者に対して特定の前記スタジオの使用を許可する情報を書き込むことを特徴とする自動写真館。
【請求項３】
請求項１に記載の自動写真館において、
前記自動写真館の運営側のオペレータが管理するコンピュータシステムのモニタ手段には、前記自動写真館内の前記サテライトを表す図形および前記スタジオを表す図形を、前記自動写真館内の実際の配置とほぼ一致する位置関係で表示可能とすると共に、前記サテライトを表す図形には、サテライト番号などのサテライトの属性を表す情報とその稼動状況（使用状況）を表す情報とを合わせて表示し、前記スタジオを表す図形には、スタジオ番号などのスタジオの属性を表す情報とその稼動状況（使用状況）を表す情報とを合わせて表示することを特徴とする自動写真館。
【請求項４】
請求項３に記載の自動写真館において、
前記スタジオを表す図形には、そのスタジオの予約組数などで示されるスタジオの予約状況を表す情報を合わせて表示することを特徴とする自動写真館。
【請求項５】
請求項１に記載の自動写真館において、
前記サテライトのコンピュータシステムのモニタ手段には、利用者が行うべき処理の流れを表示可能としたことを特徴とする自動写真館。
【請求項６】
請求項１に記載の自動写真館において、
前記サテライトのコンピュータシステムのモニタ手段と入力手段とによって、利用者は前記スタジオで行う撮影モードを選択可能とされ、利用者により撮影モードとしてオートモードが選択された場合には、前記サテライトのコンピュータシステムは、そのモニタ手段に複数の出来上がりイメージ写真の見本画像を表示し、利用者により出来上がりイメージ写真の見本画像が選択されると、当該選択された前記出来上がりイメージ写真の撮影を行うのに好適な前記スタジオを判定・選択して、この自動選択したスタジオの使用を許可する情報を前記情報記憶媒体に書き込み、利用者により撮影モードとしてマニュアルモードが選択された場合には、前記サテライトのコンピュータシステムは、そのモニタ手段にスタジオ選択用の画像表示を行い、利用者によりスタジオの選択が行われると、この利用者によって選択されたスタジオの使用を許可する情報を前記情報記憶媒体に書き込むことを特徴とする自動写真館。
【請求項７】
請求項６に記載の自動写真館において、
利用者が撮影モードとして前記オートモードを選択した場合において、当該利用者が前記自動選択された前記スタジオでの撮影を行うに際しては、当該スタジオのコンピュータシステムは、利用者により選択された前記出来上がりイメージ写真の撮影条件と合致する撮影条件を自動的に設定することを特徴とする自動写真館。
【請求項８】
請求項７に記載の自動写真館において、
利用者が撮影モードとして前記オートモードを選択した場合において、当該利用者が前記自動選択された前記スタジオでの撮影を行うに際しては、当該スタジオのコンピュータシステムは、利用者に対して立ち位置を指示することを特徴とする自動写真館。
【請求項９】
請求項７に記載の自動写真館において、
利用者が撮影モードとして前記オートモードを選択した場合において、当該利用者が前記自動選択された前記スタジオでの撮影を行うに際しては、当該スタジオのコンピュータシステムは、利用者に対して目線の方向を指示することを特徴とする自動写真館。
【請求項１０】
請求項７に記載の自動写真館において、
利用者が撮影モードとして前記オートモードを選択し、かつ、前記出来上がりイメージ写真として複数を選択した場合において、当該利用者が前記自動選択された前記スタジオでの撮影を行うに際しては、当該スタジオのコンピュータシステムは、撮影準備期間を短縮化するため、撮影条件が似通った順に撮影を行うように制御することを特徴とする自動写真館。
【請求項１１】
請求項１に記載の自動写真館において、
前記サテライトのコンピュータシステムのモニタ手段と入力手段とによって、利用者は前記スタジオで撮影された被写体画像に対して編集操作することを可能とされ、前記サテライトのコンピュータシステムは、対面２人掛け、横並び２人掛け、対面４人掛けなどの自身のサテライトの属性と、当該サテライトの利用者の人数とに応じて、前記モニタ手段に表示する編集操作用画像の表示形態を可変することを特徴とする自動写真館。
【請求項１２】
利用者が操作する操作手段および画像を表示する表示手段を有する複数のサテライトと、
利用者である被写体を撮影する撮影装置を有する複数のスタジオと、
前記撮影装置で撮影した被写体画像に基づく画像データを出力する出力システムと、
メインコンピュータシステムとが、
ネットワークを介して情報通信可能に構成された自動写真館であって、
前記メインコンピュータシステムは、
利用者に貸与する情報記憶媒体の識別情報と、当該情報記憶媒体に記憶された利用者が利用可能なサテライトを識別するためのサテライト識別情報とを、対応付けて記憶する手段と、
利用者に前記サテライトで提示するための複数のイメージ写真の見本画像を記憶する手段と、
前記スタジオの利用状況を管理する管理手段とを、
有し、
前記サテライトは、
前記情報記憶媒体に記憶された前記情報記憶媒体の識別情報および前記サテライト識別情報を読み取る第１の読み書き手段と、
前記第１の読み書き手段によって読み取った前記情報記憶媒体の識別情報および前記サテライト識別情報から、自己のサテライトの適正な利用者であるかを判定する手段と、
前記メインコンピュータシステムから入手した前記複数のイメージ写真の見本画像を、前記表示手段に表示させる手段と、
利用者が操作する前記操作手段からの操作信号に基づく利用者による前記見本画像の選択情報に応じて、利用者が利用するスタジオを決定するスタジオ決定手段と、
前記決定したスタジオを識別するためのスタジオ識別情報を、前記第１の読み書き手段によって前記情報記憶媒体に記憶させる手段と、
前記メインコンピュータシステムから送信される前記スタジオの利用状況に応じて、前記表示手段にスタジオの利用が可能となった旨を表示させる手段とを、
有し、
前記スタジオは、
前記情報記憶媒体に記憶された前記情報記憶媒体の識別情報および前記サテライト識別情報および前記スタジオ識別情報を読み取る第２の読み書き手段と、
前記第２の読み書き手段によって読み取った前記情報記憶媒体の識別情報および前記サテライト識別情報および前記スタジオ識別情報から、自己のスタジオの適正な利用者であるかを判定する手段と、
前記第２の読み書き手段によって読み取った前記情報記憶媒体の識別情報および前記サテライト識別情報に基づき、前記スタジオから、利用者が選択した前記見本画像の情報並びにそれに応じた撮影条件の情報を取得する手段と、
前記取得した撮影条件の情報に基づき、前記撮影装置による撮影条件を設定する手段と、
前記撮影装置により撮影した被写体の撮影画像データを、前記情報記憶媒体の識別情報および前記サテライト識別情報および前記スタジオ識別情報と対応付けて、前記メインコンピュータシステム並びに前記サテライトに送信する手段とを、
有し、
前記メインコンピュータシステムは、
前記サテライトの表示手段に表示された前記撮影画像データに対し、利用者が前記操作手段を操作して編集した編集データを受信し、
前記撮影画像データおよび前記編集データに基づいて出力用画像データを生成して、前記出力システムに送信することを特徴とする自動写真館。
【発明の詳細な説明】
【技術分野】
【０００１】
本発明は、被写体の画像（被写体画像）を利用者である被写体が自ら撮影し、落書き画像（落書き線描画像）や各種スタンプ画像などといった編集用画像との合成画像を印刷出力して、利用者に提供する自動写真館に関するものである。
【背景技術】
【０００２】
近年、ゲームセンターでは、１０代の女性を中心にゲーム性を備えた写真シール印刷装置が人気を集めている。この種の写真シール印刷装置では、利用者は、カーテン等で囲われた撮影空間において、他人の目を気にすることなく自由なポーズで撮影を行い、撮影終了後は、タッチパネル付きディスプレイに撮影画像を表示し、タッチペンやスタンプ画像等を使用して撮影画像に好みの編集（レタッチ）を施した後、編集済みの画像を１０〜２０枚程度の小画像に縮め、１枚のシール紙上にレイアウトして印刷するというのが、一般的な利用形態である。
【０００３】
利用者は、出来上がったシールを自分自身のコレクションとして保存したり、切り分けて仲のよい友人同士で交換するなどして楽しむことができる。また、複数の利用者が一緒に撮影を行い、出来上がった写真シールを等分に切り分けるといった楽しみ方も、一般的である。
【０００４】
こういった写真シール印刷装置の主な利用者は、中学生から高校生といった年代の女性であり、スタンプ画像等も利用者層に合わせて可愛い図柄を用意することが多い。また、ゲームセンターでは、普段と異なった服装で撮影することを可能にするために、マジックテープ（登録商標）などで着脱を容易にしたコスチュームを貸し出すことも広く行われている。また、写真シール印刷装置を店舗の一角に集め、さまざまな写真シール印刷装置の中から、利用者が好みに合うものを選択できるようにすると共に、写真シール印刷装置周辺への男性客の立ち入りを制限することも、一般的に行われている。
【０００５】
写真シール印刷装置を店舗の一角に集めるという手法をさらに進めて、写真シール印刷装置だけの遊戯施設を作るというアイデアも知られている。
【０００６】
例えば、撮影設備と印刷設備を別の場所に設置し、撮影した後、別の場所で印刷することによって、撮影設備と印刷設備の選択の幅を広げると共に、利用者の撮影待ちを解消する施設が知られている（特許文献１参照）。
【０００７】
また、施設内を撮影エリア、編集エリア、印刷エリアの各空間に分け、編集エリアには、編集用機器を複数台設置するとともに、編集用機器は持ち運び・移動可能にする施設が知られている（特許文献２参照）。
【０００８】
さらに、撮影エリアと編集エリアを分けた場合に、撮影画像を他の利用者が編集することを防止するために、編集時にパスワード等で利用者を認証するという技術も知られている（特許文献３参照）。
【特許文献１】特開２０００―２２９１８１号公報
【特許文献２】特開２００３―２６５８８６号公報
【特許文献３】特開２００３―３３３４７８号公報
【発明の開示】
【発明が解決しようとする課題】
【０００９】
しかしながら、前記特許文献１、前記特許文献２および前記特許文献３に開示された従来技術にあっては、女子中学生、女子高校生といった従来の利用者層を前提にして、写真シール印刷装置を大規模に集めたに過ぎない。
【００１０】
写真シール印刷装置の潜在的利用者は、１０代の女性に限られるものではなく、例えば、いくつになってもとにかく可愛い写真が撮りたい自分大好き系、ＯＬになったが、まだまだ学生気分で遊びたい系、とにかくファッションと流行に命を燃やす赤文字女性誌系等、さまざまな女性層に及んでいる。ところが、現状の写真シール印刷装置は、外装、貸出衣装、合成用画像等、全てにわたって１０代の女性の好みに合わせた作りになっており、その結果、写真シール印刷装置周辺には、１０代の女性客が集まるため、興味があっても気恥ずかしくて利用できない、という状況になっているのである。
【００１１】
本発明の目的は、美とファッションを追及する女性のためのエンターテイメントフォトスタジオ（自動写真館）を提供することにある。すなわち、年代的に気恥ずかしくてゲームセンターに入れなくなった女性のための空間を提供し、プロカメラマンにスタジオで撮ってもらうような写真を、楽しく、気軽に、簡単に、安価に撮ることができるようにすることにある。言いかえれば、写真シール印刷装置のような「遊び写真」ではなく、写真館の「本物の写真」を楽しみながら得ることができるようにすることにある。
【課題を解決するための手段】
【００１２】
上記目的を達成するために、本発明による自動写真館は、例えば、
利用者による操作を受け付ける機能および利用者に対し各種表示を行う機能をもつ複数のサテライトと、利用者である被写体を撮影するための複数のスタジオと、スタジオで撮影した被写体画像を元にした画像をプリントするプリンタシステムとを、備え、
入館時に利用者に対して配布され退館時に利用者から回収される情報記憶媒体（例えばＩＣカード等）に、利用者に対して自動写真館内の特定のサテライトや特定のスタジオの使用を許可する情報を書き込み可能として、
自動写真館内のサテライトやスタジオの稼動状況（使用状況）を監視しているコンピュータシステムは、情報記憶媒体を所持する利用者がその時点における、特定のサテライトまたは特定のスタジオを使用できる適合者であるか否かを判定し、適合者である場合には、特定のサテライトまたは特定のスタジオの使用を、情報記憶媒体を所持する利用者に許可する。
【発明の効果】
【００１３】
本発明によれば、年代的に気恥ずかしくてゲームセンターに入れなくなった女性のための空間を提供し、プロカメラマンにスタジオで撮ってもらうような写真を、楽しく、気軽に、簡単に、安価に撮ることができるようになる。言いかえれば、写真シール印刷装置のような「遊び写真」ではなく、写真館の「本物の写真」を楽しみながら得ることが可能になる。つまり、複数のサテライトと複数のスタジオとをその内部に配備した、独立した大きな空間としてのエンターテイメントフォトスタジオ（自動写真館）を実現し、かつ、大きな空間内には、設備の整った本格的なスタジオや、ゆったりと各種操作が行えるサテライトを設けることができるので、プロカメラマンにスタジオで撮ってもらうような写真を、楽しく、気軽に、簡単に、安価に撮ることができ、しかも、利用者認証の機能や、いわば設備の利用鍵としての機能をもつ情報記憶媒体（例えばＩＣカード等）を利用するシステムであるので、利用者に対して与える設備の利用許可の管理や、利用者による設備の利用状況の管理が、容易・確実であり、多数の利用者が入館可能な自動写真館であっても、設備の利用に関して別グループの利用者同士でトラブルが発生する虞もない。
【発明を実施するための最良の形態】
【００１４】
以下、本発明の実施の形態を、図面を用いて説明する。
【００１５】
図１は、本発明の一実施形態に係る自動写真館の館内（店内）構造を示す配置図である。図１に示すように、自動写真館０１０１には、カウンタ０１０２、サテライト０１０６、スタジオ０１０７、厨房０１０８の各設備が配置されており、出入り口０１０９により出入りが可能になっている。
【００１６】
各設備の詳細な構造については後述するが、サテライト０１０６は、利用者が撮影準備や撮影した画像の編集などを行うための設備（利用者による操作を受け付ける機能や利用者に対し各種表示を行う機能をもつ設備）であり、コンピュータのディスプレイを表面に埋め込んだテーブルと、１つ以上の椅子を含んでなるものである。また、スタジオ０１０７は、カメラ、照明、背景等を備えた自動撮影スタジオであり、従来の写真シール印刷装置の撮影空間に比べると、はるかに大きな空間となっており、プロカメラマンが撮影を行うスタジオに匹敵するように装備をもつものとなっている。
【００１７】
自動写真館０１０１の館内には、複数の利用者が、同時に撮影や画像の編集を行うことを可能とするために、複数のスタジオ０１０７、および複数のサテライト０１０６を設置することができる。
【００１８】
カウンタ０１０２の近傍には、コンピュータシステムであるカウンタシステム０１０４、プリンタシステム０１０５が設置され、カウンタ０１０２の内部には、同じくコンピュータシステムであるサーバシステム０１０３が設置されている。同様に、サテライト０１０６にはサテライトシステム０１１０が、スタジオ０１０７にはスタジオシステム０１１１がそれぞれ設置されている。サーバシステム０１０３は、自動写真館内の全コンピュータシステムを統括管理する上位システムであり、各システムの稼動状況などを把握・管理する。
【００１９】
各システムの詳細な構造については後述するが、各システムは、ＰＣ等のコンピュータと、ＩＣカードＲ／Ｗ（リーダー／ライター）、タッチパネル式モニタなどの周辺機器を接続したものであり、図２に示すように、各システムは通信回線０１１４によって、相互に通信可能に接続されている。従って、例えば、カウンタシステム０１０４のＣＰＵがサテライトシステム０１１０の稼動状況（使用状況）情報を受け取って、カウンタシステム０１０４のタッチパネル式モニタに表示するといったことが可能である。
【００２０】
図３は、本実施形態に係る自動写真館における、利用者による写真館利用の流れを示すフローチャートである。
【００２１】
利用者は、出入り口０１０９を通って入館すると（Ｓ０２０１）、まず、対人による応接が行われるカウンタ０１０２で受け付けを行い（Ｓ０２０２）、ＩＣカードやフリードリンク券を受け取るとともに、使用すべきサテライト０１０６の指定を受ける。このとき、利用者が複数人からなるグループの場合、グループに対して１枚のＩＣカードが渡される。ＩＣカードに記録されるデータの内容については後で詳述するが、このとき渡されるＩＣカードには、単独の利用者または利用者のグループを識別するための固有のコードが記録されている。なお、本願でいう「利用者」とは、「単独の利用者」または「利用者のグループ」を指し、以下では、単に「利用者」という記載で代表する。
【００２２】
次に、利用者は、カウンタ０１０２で指定されたサテライト０１０６に移動し、サテライトシステム０１１０を使用して、スタジオの予約や撮影時の照明の設定など、撮影準備処理を行う（Ｓ０２０３）。利用者が撮影準備処理を行っている間に、厨房０１０８では、ソフトドリンク等が準備され、サテライト０１０６に運ばれ、フリードリンク券と引き換えに利用者に渡される。従って、利用者は、撮影準備処理を終了して、予約したスタジオ０１０７が使用可能になるまでの間、お茶を飲みながら雑誌を読んだり、仲間同士の会話を楽しむなどして、楽しい時間を過ごすことができる。
【００２３】
予約したスタジオ０１０７が使用可能になると、サテライトシステム０１１０により、その旨が利用者に通知され、利用者は、スタジオ０１０７に移動し、スタジオシステム０１１１を使用して撮影を行う（Ｓ０２０４）。
【００２４】
そして、撮影終了後、利用者は、再びサテライト０１０６に移動し、撮影した写真の画像編集を行い、気に入った画像ができたところで印刷指示を行う（Ｓ０２０５）。印刷指示した画像は、カウンタ０１０２のプリンタシステム０１０５で、印刷・出力される。
【００２５】
利用者は、サテライトシステム０１１０により、指定した画像が印刷・出力されたことを確認して、カウンタ０１０２に移動し、ＩＣカードを返却し、会計を済ませ、印刷された画像（写真）を受け取る（Ｓ０２０６）。最後に、利用者は、出入り口０１０９を通って退館する（Ｓ０２０７）。
【００２６】
上述したサテライトシステム０１１０、スタジオシステム０１１１のいずれも、ＩＣカードに記録された利用者を識別するための固有のコードを判定し、予定された利用者以外からの操作を受け付けない。従って、例えば、利用者がカウンタを通らずに（ＩＣカードを受け取らずに）サテライトシステム０１１０等に移動しても、撮影準備、撮影などを行うことはできない。
【００２７】
また、自動写真館の従業員は、カウンタシステム０１０４を使用して、サテライトシステム０１１０、スタジオシステム０１１１の使用状況を受け取ることで、どの設備をどの利用者が使用しているのかをリアルタイムに把握することができる。
【００２８】
さらに、館内にいる利用者の数が適正範囲に収まるように、新たな利用者の受け入れを一時的に制限したり、サテライト０１０６やスタジオ０１０７の使用待ち時間を推測して、来館（来店）した利用者に予測待ち時間を教える等も可能になる。以上のようにすることで、利用者が長時間待たされて不満を持つといったことを回避することができる。
【００２９】
利用者がサテライト０１０６に滞在する時間については、特に制限を設けず、利用者が望む限り、閉館まで何時間でも滞在できるようにすることができる。時間制限を設けない場合には、利用者がサテライトシステム０１１０を使用して、厨房０１０８に追加ドリンクや食事を注文できるようにしても良い。また、館内に雑誌、書籍等を設置して、利用者に貸し出すようなサービスを行っても良い。このようにすることにより、利用者は雑誌を読んだり会話を楽しんだりしながら、ゆったりとした時間を過ごすことができる。
【００３０】
さらに、撮影準備処理において複数のスタジオを同時に予約して、空いたスタジオから順次撮影を行うようにすることも可能であるし、画像印刷指示を終えた後、追加の撮影準備処理を行うことができるようにしても良い。
【００３１】
ただし、上記のように各設備を自由に使用できるようにする場合には、当然ながら利用者の回転は悪くなり、売上に悪影響を与えるのみならず、入館待ち時間が増加して、入館できない利用者が不満を持つことになる。逆に、回転率を上げるために、サテライト０１０６での滞在時間を制限するようなことを行うと、時間にせかされてゆったり楽しめないという不満が出る可能性がある。従って、追加ドリンク等の過度なサービスは避けつつ、利用者が１〜２時間程度で満足しつつ退館するように仕向けるのが賢明である。
【００３２】
以降は、撮影準備処理での複数スタジオ同時予約、写真印刷指示を終えた後の追加の撮影準備処理等は考慮せず、図２のフローチャートの通りに利用者の行動が制限されることを前提に、説明を行う。
【００３３】
なお、カウンタ０１０２、サテライト０１０６、スタジオ０１０７、厨房０１０８、出入り口０１０９等の配置や数は、図１に示したものに限られるものではない。立地条件や館内の面積等を考慮して、適切な広さの設備を必要な数量だけ、適切に配置すればよい。
【００３４】
以下、本実施形態における、カウンタ０１０２、サテライト０１０６、スタジオ０１０７等の各設備毎の構造、機能等について説明する。
【００３５】
図６は、カウンタ０１０２の一部を斜め上方から見た図である。また、図７、図８、図９は、それぞれ、サーバシステム０１０３、カウンタシステム０１０４、プリンタシステム０１０５のブロック図である。
【００３６】
図６に示すように、カウンタ０１０２のカウンタテーブル内部に、カウンタシステム０１０４のＰＣ本体０８００、およびプリンタシステム０１０５のＰＣ本体０９００が納められている。カウンタテーブルの上には、従業員が受け付けなどの処理を行うためのタッチ式モニタ０８０３、タッチペン０８０４や、画像（写真）を印刷・出力するプリンタ０９１０が置かれている。また、図６には示していないが、カウンタシステム０１０４のＩＣカードＲ／Ｗ０８０６、プリンタシステム０１０５のタッチ式モニタ０９０３、タッチペン０９０４、ＩＣカードＲ／Ｗ０９０６も、カウンタテーブルの上部に置かれている。
【００３７】
カウンタ０１０２の内側には、サーバシステム０１０３のＰＣ本体０７００、タッチ式モニタ０７０３、タッチペン０７０４、ＩＣカードＲ／Ｗ０７０６が設置されている。
【００３８】
なお、各システムのＰＣ本体、タッチ式モニタ等は、有線または無線方式により互いに通信可能であれば良いのであって、設置場所は上述の場所に限るものではない。写真館内部の美観等も考慮した上で、通常の店舗運営に便利な位置に設置すればよい。
【００３９】
図７に示すように、上位システムであるサーバシステム０１０３は、写真館内の全コンピュータシステムを統括制御（統括管理）するＰＣ本体０７００、タッチ式モニタ０７０３、タッチペン０７０４、ＩＣカードＲ／Ｗ０７０６などから構成されている。
【００４０】
従業員は、タッチペン０７０４を使用して操作を行い、ＩＣカードＲ／Ｗ０８０６で、新たに採用した従業員のオペレータカードを作成したり、タッチ式モニタ０７０３に各システムの稼動状況を表示したりすることができる。なお、操作方法はタッチペン０７０４を使用するのが簡易であるが、システム設定を変更する等のシステム操作を行うような場合には、ＰＣ本体０７００にキーボード等を接続することも可能である。また、タッチペン０７０４を使用せずに、指でタッチすることにより操作できるようにしても良い。
【００４１】
ＰＣ本体０７００は、内部に磁気ディスク０７０８を有しており、自動写真館のオペレーションに必要な情報、例えば、自動写真館の店舗番号、出来上がりイメージ写真、撮影結果画像情報、編集結果画像情報、画像編集に使用する線描パターンや太さの情報、画像合成用に予め用意した各種のスタンプ画像情報、印刷レイアウトの見本、各種の案内メッセージ（音声及び文字情報）、システム管理のための情報（スタジオ予約状況、サテライト使用状況、印刷状況、ＩＣカードの登録状況等）などが記録される。
【００４２】
各情報は、通信インタフェース０７０７および通信回線０１１４を経由して、カウンタシステム０１０４等、他システムとの間で送受信される。
【００４３】
図１０、図１１、図１２、図１３、図１４、図１５に、サーバシステム０１０３のＰＣ本体０７００の磁気ディスク０７０８に記録されるシステム管理のための情報のうち、主なものを示す。
【００４４】
図１０は、システム管理ファイルのデータ構造図である。サーバシステム０１０３、カウンタシステム０１０４、プリンタシステム０１０５、サテライトシステム０１１０、スタジオシステム０１１１の各々について、固有のシステムＩＤ（Ｄ１００１）が付与され、システム管理ファイルに登録される。なお、プリンタシステム０１０５については、同一のプリンタシステム０１０５内に複数のプリンタ０９１０が接続されるため、そのプリンタシステム０１０５のＩＤにプリンタ０９１０のＩＤを付加して設定する。
【００４５】
システム管理ファイルのシステム種別（Ｄ１００２）には、サーバシステム０１０３、カウンタシステム０１０４、プリンタシステム０１０５、サテライトシステム０１１０、スタジオシステム０１１１を区別するための種別コードが設定されている。
【００４６】
設置場所（Ｄ１００３）には、各システムの館内での位置情報が設定されており、システムの稼動状況を館内配置図イメージで表示する際に、各システムの表示位置を決定するための情報として使用される。位置情報としては、例えば、館内の特定の地点からの相対距離と方向を設定しても良いし、館内の特定の地点からの東西方向、南北方向の相対距離を設定しても良いし、その他の方法であっても良い。
【００４７】
特性情報（Ｄ１００４）には、サテライトシステム０１１０についての座席数や、スタジオシステム０１１１についての照明情報など、システム種別（Ｄ１００２）によって異なる情報が設定されている。
【００４８】
システム管理ファイルは、新たな自動写真館を運営開始する前に一括してデータ内容を設定することで作成することができる。しかし、自動写真館が運営開始した後でも、サテライトシステム０１１０等を追加設定したり撤去するようなこともありうる。このような場合、例えば新しいサテライトシステム０１１０を追加する時点で、サテライトシステム０１１０側で、付与するシステムＩＤ、設置場所、座席数等の情報を入力し、この情報をサーバシステム０１０３に転送して、サーバシステム０１０３においてシステム管理ファイルを更新するようにするとよい。このようにすることで、自動写真館の設備の追加、変更等に容易に対応することができる。
【００４９】
図１１は、プレイヤカード登録ファイルのデータ構造図である。図１２は、オペレータカード登録ファイルのデータ構造図である。図１１、図１２の内容については、後でプレイヤカード、オペレータカードのデータ構造を説明するときに合わせて説明する。
【００５０】
図１３は、サテライト使用状況ファイルのデータ構造図である。サテライト使用状況ファイルには、使用中の全てのサテライトシステム０１１０について、利用者についての情報等が設定される。
【００５１】
サテライト番号（Ｄ１３０１）には、サテライトシステム０１１０固有のシステムＩＤが設定される。従って、設定値は、システム管理ファイル中、システム種別（Ｄ１００２）の値が「サテライトシステム」となっているものの内のいずれかのシステムＩＤ（Ｄ１００１）と一致する。
【００５２】
プレイヤＩＤ（Ｄ１３０３）には、そのサテライトシステム０１１０を使用している利用者のＩＤが設定される。これは、後述するプレイヤカードのプレイヤＩＤと同じ値である。
【００５３】
使用人数（Ｄ１３０４）には、そのサテライトシステム０１１０を使用している利用者の数（単独の利用者の場合は１が、利用者がグループである場合にはそのグループの人数）が設定される。
【００５４】
使用開始時間（Ｄ１３０２）には、そのサテライトシステム０１１０を現在の利用者が使用開始した時刻が設定される。
【００５５】
図１４は、スタジオ予約状況ファイルのデータ構造図である。スタジオ予約状況ファイルには、予約中の全てのスタジオシステム０１１１について、予約中の利用者についての情報等が設定される。
【００５６】
スタジオ番号（Ｄ１４０１）には、スタジオシステム０１１１固有のシステムＩＤが設定される。従って、設定値は、システム管理ファイル中、システム種別（Ｄ１００２）の値が「スタジオシステム」となっているものの内のいずれかのシステムＩＤ（Ｄ１００１）と一致する。
【００５７】
プレイヤＩＤ（Ｄ１４０２）には、そのスタジオシステム０１１１を予約中の利用者のＩＤが設定される。これは、後述するプレイヤカードのプレイヤＩＤと同じ値である。なお、同じスタジオシステム０１１１を複数の利用者が同時に予約することも可能であるので、スタジオ予約状況ファイルには、スタジオ番号（Ｄ１４０１）が同一なデータが複数設定されていることがありうる。
【００５８】
サテライトＩＤ（Ｄ１４０３）には、そのスタジオシステム０１１１を予約した利用者が使用しているサテライトシステム０１１０のシステムＩＤ（Ｄ１００１）が設定される。
【００５９】
予約ＩＤ（Ｄ１４０４）には、利用者がそのスタジオシステム０１１１を予約した時点で生成される識別ＩＤが設定される。識別ＩＤは、スタジオ番号（Ｄ１４０１）と予約日時とを組み合わせたコードとすることができる。予約ＩＤ（Ｄ１４０４）は、利用者が、どのスタジオシステム０１１１を予約したのか分からなくなったような場合に、照合を行うために使用する。
【００６０】
撮影コース（Ｄ１４０５）には、利用者が選択した撮影コースである撮影モードの種別（マニュアルモード、オートモードの識別）が設定される。
【００６１】
図１５は、印刷状況ファイルのデータ構造図である。印刷状況ファイルには、印刷指示済みの全てのプリンタ０９１０について、印刷対象画像についての情報等が設定される。
【００６２】
プリンタ番号（Ｄ１５０１）には、プリンタ０９１０固有のシステムＩＤが設定される。従って、設定値は、システム管理ファイル中、システム種別（Ｄ１００２）の値が「プリンタシステム」となっているものの内のいずれかのシステムＩＤ（Ｄ１００１）と一致する。
【００６３】
プレイヤＩＤ（Ｄ１５０２）には、そのプリンタ０９１０に印刷指示を行った利用者のＩＤが設定される。これは、後述するプレイヤカードのプレイヤＩＤと同じ値である。なお、同じプリンタ０９１０に対して複数の利用者が同時に印刷指示することも可能であるので、印刷状況ファイルには、プリンタ番号（Ｄ１５０１）が同一なデータが複数設定されていることがありうる。
【００６４】
サテライトＩＤ（Ｄ１５０３）には、そのプリンタ０９１０に印刷指示を行った利用者が使用しているサテライトシステム０１１０のシステムＩＤ（Ｄ１００１）が設定される。
【００６５】
印刷ＩＤ（Ｄ１５０４）には、印刷対象となっている画像を識別するためのＩＤが設定される。印刷ＩＤは、例えば画像ファイルのファイル名であっても良いし、その他、画像ファイルを一意に識別できるコードであればどのような内容でも構わない。また、複数枚の画像をまとめて印刷する場合には、複数のＩＤが設定される。
【００６６】
印刷レイアウト番号（Ｄ１５０５）には、画像を印刷するレイアウト（２Ｌサイズ、Ｌサイズ等）を識別するためのコードが設定される。
【００６７】
印刷状況（Ｄ１５０６）には、画像が印刷待ち、印刷済み、引渡し済みのいずれであるかを識別するためのコードが設定される。このことからも分かるように、印刷状況ファイルのデータは印刷指示が行われた時点で生成され、印刷が完了しても、閉館時にシステムを終了するまで、削除されることはない。こうすることによって、利用者が自動写真館から出た後で、プリント画像（写真）が不足している等の問い合わせを行った場合に、印刷状況を確認できると共に、再印刷を頼まれたときにも対応することができる。
【００６８】
図８に示すように、カウンタシステム０１０４は、ＰＣ本体０８００、タッチ式モニタ０８０３、タッチペン０８０４、ＩＣカードＲ／Ｗ０８０６などから構成されている。
【００６９】
従業員は、タッチペン０８０４を使用して操作を行い、ＩＣカードＲ／Ｗ０８０６で、来館した利用者のプレイヤカードを作成したり、タッチ式モニタ０８０３に各システムの利用状況を表示したりすることができる。なお、操作方法はタッチペン０８０４を使用するのが簡易であるが、利用者の漢字氏名を入力するなどのやや複雑な入力操作を行う場合には、ＰＣ本体０８００にキーボード等を接続することも可能である。
【００７０】
カウンタシステム０１０４で入力された利用者情報等は、通信インタフェース０８０７および通信回線０１１４を経由して、サーバシステム０１０３等、他システムとの間で送受信される。
【００７１】
図９に示すように、プリンタシステム０１０５は、ＰＣ本体０９００、タッチ式モニタ０９０３、タッチペン０９０４、ＩＣカードＲ／Ｗ０９０６および１台以上のプリンタ０９１０などから構成されている。
【００７２】
従業員は、タッチペン０９０４を使用して操作を行い、タッチ式モニタ０９０３に、プリンタ０９１０における印刷状況を表示したり、利用者の求めに応じて、印刷済み写真の再印刷を指示したりすることができる。なお、操作方法はタッチペン０９０４を使用するのが簡易であるが、プリンタに障害が発生したような場合に障害情報を表示するなど、やや複雑な操作が必要な場合には、ＰＣ本体０９００にキーボード等を接続することも可能である。
【００７３】
プリンタシステム０１０５の処理状況等は、通信インタフェース０９０７および通信回線０１１４を経由して、サーバシステム０１０３等、他システムとの間で送受信される。
【００７４】
図１６は、サテライト０１０６を斜め上方から見た図である。また、図１７は、サテライトシステム０１１０のブロック図である。
【００７５】
サテライト０１０６は、図１６のテーブル１６０１と、図１６では図示していないが１つまたは複数の椅子と、サテライトシステム０１１０とを含んでなる設備である。利用者は、サテライト０１０６において、撮影準備、撮影済み写真（画像）の編集などを行う。利用者が長時間快適に過ごすためには、椅子あるいはソファー等を設置することが望ましいが、逆に利用者が長居しないようにするためには、椅子等を設置せず、テーブル１６０１の高さを上げて、利用者が立ったままで操作するようにすることもできる。
【００７６】
テーブル１６０１の支柱１６０３の内部には、サテライトシステム０１１０のＰＣ本体１７００が納められている。多少見栄えが悪くても構わない場合には、支柱１６０３を設けず、ＰＣ本体１７００を床の上に設置しても良い。ただし、このようにした場合には、設備コストは多少軽減されるが、ＰＣ本体１７００が利用者の足に当たって破損するなどの不具合が発生する可能性がある。
【００７７】
テーブル１６０１の上面１６０２には、タッチ式モニタ１７０３、タッチペン１７０４、ＩＣカードＲ／Ｗ１７０６が取り付けられている。ＰＣ本体１７００と、タッチ式モニタ１７０３、タッチペン１７０４、ＩＣカードＲ／Ｗ１７０６は、有線または無線により通信可能に接続されている。
【００７８】
図１６では、タッチ式モニタ１７０３、タッチペン１７０４、ＩＣカードＲ／Ｗ１７０６のいずれの機器も、利用者が取り外すことができないように、上面１６０２に固着されている。破損や盗難のリスクを小さくするためには、このようにテーブル１６０１に固着するほうが望ましいが、利用者が館内のどこでも操作できるようにするためには、テーブル１６０１から取り外し可能にすることも考えられる。ただし、その場合には、各機器が持ち去られないようにするため、また館内での位置を確認できるようにするため、各機器に無線タグ等を付けて、常時存在位置を確認できるようにする等の仕組みが必要になる。
【００７９】
図１７に示すように、サテライトシステム０１１０は、ＰＣ本体１７００、タッチ式モニタ１７０３、タッチペン１７０４、ＩＣカードＲ／Ｗ１７０６などから構成されている。入力手段はタッチペン１７０４に限らず、キーボード等を使用することも可能である。いずれにしても、２名以上のグループで来館した利用者が同時に写真編集を楽しむことができるようにするため、タッチペン１７０４等の入力手段は２つ以上設けることが望ましい。
【００８０】
利用者は、タッチペン１７０４を使用して操作を行い、タッチ式モニタ１７０３にスタジオ０１０７の予約状況を表示したり、スタジオ０１０７の予約を行ったり、撮影した画像の編集や刷指示などの操作を行うことができる。
【００８１】
メモリ１７０２には、画像編集に使用する線描パターンや太さ、画像合成用に予め用意された各種のスタンプ画像、印刷レイアウトの見本、各種の案内メッセージ（音声及び文字情報）などが記憶されている。これらの情報は、サーバシステム０１０３のＰＣ本体０７００の磁気ディスク０７０８に記録しておき、サテライトシステム０１１０を起動するときや、磁気ディスク０７０８の記録内容を更新するときなどに、必要に応じてサテライトシステム０１１０に転送することができる。
【００８２】
磁気ディスク１７０８には、サテライトシステムを店舗内で一意に識別するためのサテライト番号等の情報が記録されている。こうした情報は、前述したように、サテライトシステムを初期設定したタイミング等で設定することができる。
【００８３】
サテライトシステム０１１０で入力されたスタジオ予約情報等は、通信インタフェース１７０７および通信回線０１１４を経由して、サーバシステム０１０３等、他システムとの間で送受信される。
【００８４】
図１８は、スタジオ０１０７を斜め上方から見た図である。スタジオ０１０７は、スタジオの外からの覗かれることがないように、壁によって囲まれており、スタジオの出入りは、ドア１８０１によって行う。ドアの近くには、撮影中ランプ２２３４が設置されており、撮影中はランプが点灯し、撮影が終了するとランプが消灯するようになっている。従って、利用者が予約したスタジオに入るときには、ランプが消灯していることを確認することで、他の利用者が撮影中のスタジオに間違えて入り、ばつの悪い思いをするといった事態を防止することができる。他の利用者が撮影中の場合に、ドア１８０１を電子錠等でロックすることも可能であり、このようにした場合には、撮影中のスタジオに他の利用者が入るという間違いを確実に防止することができる。しかしながら、防犯、防災の観点からはスタジオ内部からロックされることは好ましくないので、撮影中ランプ２２３４による表示程度にしておくほうが適切であると思われる。
【００８５】
スタジオ０１０７の内部には、着替場所１８０２とスタジオ部１８０３が存在し、着替場所１８０２は手引きカーテン１８０４によって、外から見えないようにすることができる。こうすることによって、撮影中に着替えしているときに、他の利用者が間違えて入った場合にも、着替え中を見られることがなくなる。  
図１９は、スタジオ０１０７を上方から見た図である。着替場所１８０２には、衣類やアクセサリーなどを置いた小物棚１８０６が設けられ、着替場所１８０２の一部は、撮影の小道具として使用する椅子等を置く椅子等置き場１８０７として使用される。また、手引きカーテン１８０４を挟んだ向かい側には、ソファーなどの大き目の撮影小道具を置くための、ソファー置き場１８０５が設けられている。
【００８６】
スタジオ機能の中核を担うスタジオ部１８０３とスタジオシステム０１１１について、図２０、図２１、図２２を使用して説明する。図２０はスタジオ部１８０３を上方から見た図、図２１はスタジオ部１８０３を横から見た図、図２２はスタジオシステム０１１１のブロック図である。
【００８７】
スタジオ部１８０３の入り口の反対側の壁には、インターホン１８０８、ＩＣカードＲ／Ｗ２２０６が設置されている。利用者は、プレイヤカードであるＩＣカードをＩＣカードＲ／Ｗ２２０６に差し込むことにより、スタジオシステム０１１１を使用できるようになる。また、スタジオ０１０７内でトラブル等が発生した場合には、スタジオシステム０１１１とは独立して動作するインターホン１８０８を使用して、従業員を呼び出すことができる。
【００８８】
スタジオ部１８０３には、カメラ駆動装置２２２１が備えられている。カメラ駆動装置２２２１には、スタジオ内の被写体（利用者）を撮影する（プレビュー用の被写体の動画像、または、画像編集対象候補となる静止画像を撮る）カメラ２２２０と、カメラ２２２０が撮影している被写体の動画像を表示する撮影用モニタ２２０３とが、一体的に上下移動可能なように取り付けられている。
【００８９】
カメラ２２２０はスタジオ壁面のほぼ中央位置に取り付けられている。撮影用モニタ２２０３は、カメラ２２２０に隣接して設置され、カメラ２２２０に向かって任意の撮影ポーズをとった場合の被写体の動画像を、被写体となっている利用者の位置から確認可能なようになっている。
【００９０】
カメラ駆動装置２２２１の駆動機構については特に説明しないが、利用者がリモコンスイッチ２２４５を使用して、上方向または下方向に移動するように指示すると、この指示がリモコン受け２２４４を経由してＣＰＵ２２０１に伝えられ、ＣＰＵ２２０１はカメラ制御部２２４６を介してカメラ駆動装置２２２１に、カメラ２２２０と撮影用モニタ２２０３を上方向または下方向へ移動させるように指示する。同様にして、カメラ２２２０の撮影方向を左右に変更することも可能である。なお、以上のカメラ移動機構はスタジオシステム０１１１とは独立に動作するように構成することも可能である。
【００９１】
カメラ２２２０と反対側には、被写体に対して所望の背景画像を与える背景機構２２３０が設置され、図２１に示すように、背景機構２２３０の裏側は、固定されたホリゾントカーテン１８０９になっている。このホリゾントカーテンは、白、ピンク、水色等、スタジオによって異なる一色に塗られ、コーナー部で円弧状に湾曲し、撮影時に被写体である利用者が立っている場所まで伸びている。ホリゾントカーテン１８０９を使用することにより、床面と壁面の境目があいまいになり、大空を背景に撮影しているような効果を与えることができる。
【００９２】
背景機構２２３０は、被写体の背景となる画像を与えるものであり、利用者が、撮影用モニタ２２０３に表示される案内メッセージに従って、予め用意された複数の背景画像のうち任意の背景画像を選択可能なように構成されている。背景機構２２３０は、複数枚のカーテンに各種の背景画像を印刷した電動式カーテンで構成され、例えば「夕焼け」の背景画像を利用者が選択した場合には、「夕焼け」の風景を印刷したカーテンが被写体の背景になるように、電動制御によって自動的にカーテンが切り替え駆動されるようになっている。
【００９３】
このとき、利用者は前述したリモコンスイッチ２２４５を使用してカーテンを切り換えることができる。また、利用者はカーテン操作スイッチ２２４２を使用することで、スタジオシステム０１１１と独立にカーテンを切り換えることもできる。
【００９４】
スタジオ部１８０３には、この他に、被写体に対して撮影方向から所定の明るさの照明を与える照明装置２２２６、被写体を上方向から照射する被写体用天井ストロボ２２２８ａ、背景機構を上方向から照射するクロマキー用天井ストロボ２２２８ｂ、被写体である利用者に各種の案内メッセージを音声で通知するスピーカ２２２３と、被写体である利用者に撮影時の立ち位置を指示する立ち位置指示ランプ２２３７、被写体である利用者に撮影時の視線の向きを指示する視線指示ランプ２２３９等が含まれている。
【００９５】
照明装置２２２６は、それぞれ、面光源２２２７とストロボ２２２８を内蔵し、撮影ポーズを確認する場合には、面光源２２２７によって所定の明るさの照明光を被写体の方向に照射している。そして、撮影ポーズの確認が終わり、被写体の静止画を撮影するタイミングになったならば、ストロボ２２２８が発光し、被写体に対して、面光源２２２７からの照明光に加えストロボ光を被写体に照射するようになっている。
【００９６】
立ち位置指示ランプ２２３７、視線指示ランプ２２３９は、後述する「オートモード」での撮影時に使用する。すなわち、利用者が照明強度等の撮影条件を指定せず、見本写真と同じように撮影することを望んだ場合、ＣＰＵ２２０１は、見本写真と同様の条件で撮影を行うことができるように、撮影時に照明装置２２２６等の照明強度等を適切な値に変更するとともに、適切な位置の立ち位置指示ランプ２２３７を点灯して、利用者が立つべき床の位置をスポットライトで照らす。同時に、適切な位置の視線指示ランプ２２３９を点灯することで、利用者が向けるべき視線の位置を示す。立ち位置指示ランプ２２３７、視線指示ランプ２２３９の個数、配置場所は、スタジオの広さ等に応じて適切に定めれば良い。
【００９７】
スタジオシステム０１１１には、この他に、メモリ２２０２に格納されたプログラムによってスタジオシステム０１１１全体を制御するＣＰＵ２２０１と、カメラ２２２０で撮影された画像（動画像、静止画像）を入力する画像入力部２２２２と、撮影用モニタ２２０３に被写体の動画像等を表示させるための画像出力部２２０５と、スピーカ２２２３に各種の案内メッセージの音声信号を出力する音声出力部２２２４と、各種の案内メッセージ（音声及び文字情報）などが記憶されているパターンメモリ２２２５と、被写体の静止画像を撮影する時のシャッタタイミングを与えるタイマ２２３２と、被写体がスタジオ部１８０３内に入室したかどうかを赤外線等で検知するセンサ２２３３とを含んでいる。
【００９８】
磁気ディスク２２０８には、スタジオシステム０１１１を館内で一意に識別するためのスタジオ番号等の情報や、スタジオの広さ、土足を許すかどうか、ホリゾントカーテンの色彩などのスタジオ属性情報が記録されている。こうした情報は、スタジオシステムを初期設定したタイミング等で設定することができる。
【００９９】
スタジオシステム０１１１で撮影された画像情報等は、通信インタフェース２２０７および通信回線０１１４を経由して、サーバシステム０１０３等、他システムとの間で送受信される。
【０１００】
以上で、各システム構成要素についての説明を終わり、以降は、実際の操作の流れに沿って、各システムの動作を説明する。
【０１０１】
本実施形態においては、各システムにおいて操作者を認識するためにＩＣカードを使用する。ＩＣカードは、大きくは、店舗（自動写真館）の従業員が使用するオペレータカードと、自動写真館の客（利用者）が使用するプレイヤカードの２種類に分かれている。各システムを操作する際には、オペレータカードまたはプレイヤカードをＩＣカードＲ／Ｗに挿入し、各システムがカードの種類を判定し、カードの種類に適合した処理を行うようになっている。
【０１０２】
以降の説明では、まず、オペレータカードを作成する処理について説明し、続いて、入館してから退館するまでの利用者の動作に沿って、各システムの動作を説明する。
【０１０３】
図２４は、オペレータカード作成の流れを示すフローチャートである。オペレータがサーバシステム０１０３を初めて起動したときに、サーバシステム０１０３は、サーバ用モニタ０７０３に店舗番号（自動写真館の番号）の入力を促す画面を表示する（Ｓ２４０１）。このときの画面の表示例を図２６に示す。図２６に示すように、画面上に入力する数字（０〜９）等を表示し、これをタッチペンで選択して数字を入力するようにすれば、キーボードを使用せずに店舗番号を入力することができる。
【０１０４】
オペレータが適切な店舗番号を入力し（Ｓ２４０２）、ＩＣカードの挿入要求画面の表示（Ｓ２４０３）に従いＩＣカードＲ／Ｗ０７０６にＩＣカードを挿入し（Ｓ２４０４）、次に、オペレータ姓名の入力要求画面の表示（Ｓ２４０５）に従い姓および名を入力すると（Ｓ２４０６）、ＣＰＵ０７０１は、挿入したＩＣカードに、図２５に示す情報を記録する（Ｓ２４０７）ことで、オペレータカードを作成する。また、サーバシステム０７００の磁気ディスク０７０８には、図１２に示す情報が記録される。また、店舗番号は、磁気ディスク０７０８に記録される。
【０１０５】
オペレータカードの作成が終了すると、オペレータは画面の指示（Ｓ２４０８）に従って、ＩＣカードを抜き取り（Ｓ２４０９）、次に画面の指示（Ｓ２４１０）に従って、別のＩＣカードを挿入する（Ｓ２４１１）。そうすると、この２枚目のＩＣカードにも１枚目のＩＣカードに記録したものと同じ情報が記録される（Ｓ２４１２）。２枚目のＩＣカードの記録が終了すると、オペレータは作成完了画面の表示（Ｓ２４１３）を見て、２枚目のＩＣカードを抜き取る。２枚目のＩＣカードは、１枚目のＩＣカードが破損した場合の予備カードとして使用することができる。
【０１０６】
なお、２枚目のＩＣカードの記録が終了してから一定時間が経つと、オペレータカード作成処理は自動的に終了する（Ｓ２４１４）。
【０１０７】
図２５は、オペレータカードのデータ構造を示しており、オペレータカードの店舗ＩＤ（Ｄ１５０２）には、オペレータが入力した店舗番号（自動写真館の番号）、店員姓（Ｄ１５０４）には、オペレータが入力した姓、店員名（Ｄ１５０５）には、オペレータが入力した名、がそれぞれ記録され、カード種別（Ｄ１５０１）には、このＩＣカードがオペレータカードであることを示すコード（本実施例では“１”）が記録され、店員ＩＤ（Ｄ１５０３）には、店舗内（自動写真館内）で一意となる識別コードが記録される。
【０１０８】
このような識別コードは、例えば、磁気ディスク０７０８に発行済みオペレータカードの枚数を記録するファイルを設け、サーバシステム０１０３を初めて起動したときに、枚数として０を設定しておき、オペレータカードを作成する毎に枚数を１ずつ増加させ、増加後の枚数の値を識別コードとして使用することで得ることができる。
【０１０９】
なお、本実施形態において各システムを操作するためには、まず、ＩＣカードＲ／ＷからＩＣカードに記録された情報を読込むステップが必須になっている。そして、ＩＣカードに記録された情報を読み込んだ後、カード種別を判定することにより、可能な操作を振り分けるようになっている。
【０１１０】
また、ＩＣカードがオペレータカードであることを示すコードとして複数のコード（例えば、“０”と“１”）を使用し、システム管理等の高度な操作を実行できるオペレータカードと、通常のオペレーションのみを実行できるオペレータカードとに分けることもできる。
【０１１１】
図１２のオペレータカード登録ファイルの店員ＩＤ（Ｄ１２０１）には、オペレータカードの店員ＩＤ（Ｄ１５０３）に設定したものと同じ値、店員氏名（Ｄ１２０２）には、オペレータが入力した姓と名を結合したデータ、登録年月日（Ｄ１２０３）と最終アクセス年月日（Ｄ１２０４）には、オペレータカードが作成された年月日、がそれぞれ記録される。最終アクセス年月日（Ｄ１２０４）には、以降、対応するオペレータカードが使用される毎に、使用した年月日が設定される。
【０１１２】
前述したように、ＩＣカードがオペレータカードであることを示すコードとして複数のコード（例えば“０”と“１”）を使用し、システム管理等の高度な操作を実行できるオペレータカードと、通常のオペレーションのみを実行できるオペレータカードとに分ける場合には、アクセス権限（Ｄ１２０５）に、カード種別（Ｄ１５０１）に設定したものと同じ値を設定する。
【０１１３】
なお、以上の説明では、サーバシステム０１０３を初めて起動したときにオペレータカードの作成を行うと説明したが、オペレータカードの作成タイミングは、特に制限を設ける必要はなく、いつでも作成できるようにすることも可能である。この場合には、サーバシステム０１０３を初めて起動したときには、システム管理等の高度な操作を実行できるオペレータカードを作成し、その後は、通常のオペレーションのみを実行できるオペレータカードを作成するようにすることもできる。
【０１１４】
次に、カウンタ０１０２に新たな利用者が入館（来店）した場合の処理、すなわちプレイヤカードの作成に係る処理を中心に、カウンタシステム０１０４の動作を説明する。
【０１１５】
図２７は、カウンタシステム０１０４において、従業員によって行われる処理の概要を示すフローチャートである。
【０１１６】
カウンタシステム０１０４のＣＰＵ０８０１は、起動されると、モニタ０８０３にオペレータカードの挿入を促す画面を表示し（Ｓ２７０１）、ＩＣカードＲ／Ｗ０８０６にＩＣカードが挿入されるまで待つ（Ｓ２７０２）。ＩＣカードＲ／Ｗ０８０６にＩＣカードが挿入されると、ＩＣカードに記録されたカード種別を参照し（Ｓ２７０３）、オペレータカード以外のＩＣカードが挿入されている場合は、モニタ０８０３に挿入されたカードが間違っていることを示すメッセージを表示する（Ｓ２７０４）。このときの画面の表示例を図２８に示す。従業員がタッチペン０８０４等の入力デバイスを使用して画面の「ＯＫ」と表示された部分をタッチすると（Ｓ２７０５）、再び、オペレータカードの挿入を促す画面が表示される（Ｓ２７０１）。
【０１１７】
オペレータカードが挿入されている場合には、モニタ０８０３に、図２９に示すような写真館画面（店舗画面）が表示される（Ｓ２７０６）。写真館画面には、自動写真館（店舗）の状況を模式的に示す、館内状況情報２９０１と、「来客」、「写真引渡」といった表示が付けられた、１つ又は複数の処理ボタン２９０４が表示される。館内状況情報２９０１には、館内のスタジオを表す図形２９０２やサテライトを表す図形２９０３が、館内の実際の配置に、ほぼ一致する位置関係で表示される。スタジオを表す図形２９０２は、スタジオ番号などのスタジオの属性を表す情報や、そのスタジオを予約中の利用者の組数などスタジオの使用・予約状況を示す情報と共に表示される。また、サテライトを表す図形２９０３は、サテライト番号などのサテライトの属性を表す情報や、そのサテライトの使用状況と共に表示される。このとき、サテライトおよびスタジオの使用（稼動）状況に加えて、エラー発生状況等を色分けして表示することで、色分けにより「稼動中」、「エラー発生中」、「空き」等の状況を、従業員が直感的に判別可能となる。
【０１１８】
スタジオやサテライトの情報を一覧表に表示するだけでも、店舗内の状況把握は可能であるが、以上のように、店舗内の実際の配置とほぼ一致する位置関係で表示することにより、どのスタジオやサテライトの情報であるかを、従業員が直感的に把握することができる。スタジオを表す図形２９０２やサテライトを表す図形２９０３の表示位置や大きさは、実際の位置関係や大きさを厳密に再現する必要はない。
【０１１９】
従業員は、来客等の処理が必要になるまで、モニタ０８０３に表示された写真館画面を見ることにより、館内の状況をリアルタイムに把握することができる。
【０１２０】
来客等の対応処理を行う場合には、図２９に示す写真館画面の処理ボタン（２９０４）のいずれかを、タッチペン０８０４でタッチすることにより、対応する処理が行われる。具体的には、新たな利用者が入館した場合には「来客」ボタン、利用者が撮影や写真の編集を終了し、印刷した写真を引き取りに来た場合には「写真引渡」ボタン、利用者が写真の追加印刷を希望する場合には「追加印刷」ボタン、利用者が帰る前には「会計」ボタン、をそれぞれタッチする。また、以上の他に「その他」ボタンを表示し、タッチされた場合に、特に説明しないがシステム操作処理を行うようにしても良い。
【０１２１】
処理ボタンが押下（タッチ）されると（Ｓ２７０７）、モニタ０８０３に、プレイヤカードの挿入を促す画面を表示し（Ｓ２７０８）、ＩＣカードＲ／Ｗ０８０６にＩＣカードが挿入されるまで待つ（Ｓ２７０９）。ＩＣカードＲ／Ｗ０８０６にＩＣカードが挿入されると、ＩＣカードに記録されたカード種別を参照し（Ｓ２７１０）、プレイヤカード以外のＩＣカードが挿入されている場合は、来客等の処理を中止したものと判断して、オペレータカードの挿入確認処理に戻る（Ｓ２７０３）。これは、ＩＣカードとしてプレイヤカードとオペレータカードの２種類しか存在しないことを前提にした処理であるが、もし、その他の種類のカードが存在する場合には、プレイヤカードでもオペレータカードでもないＩＣカードが挿入された場合には、ＩＣカードを差し替えるように促すメッセージを表示するべきである。
【０１２２】
なお、「来客」ボタンがタッチされた場合には、以降で説明する来客処理（入館処理）によって、プレイヤカードが作成される。従って、「来客」ボタンがタッチされた場合には、既に利用を終わって返却されたプレイヤカードか、何らかのプログラムを使用してカード種別に「プレーヤーを示す値」を設定して作成したプレイヤカードを挿入することになる。
【０１２３】
プレイヤカードが挿入されている場合は、押下（タッチ）された処理ボタンの種別を判定し（Ｓ２７１１）、来客処理（Ｓ２７１２）、写真引渡処理（Ｓ２７１３）、追加印刷処理（Ｓ２７１４）、会計処理（Ｓ２７１５）のいずれかの処理を行う。各処理が終了すると、モニタ０８０３に、プレイヤカードの抜き取りを促す画面を表示し（Ｓ２７１６）、ＩＣカードＲ／Ｗ０８０６からＩＣカードが抜き取られるまで待つ（Ｓ２７１７）。プレイヤカードが抜き取られると、再びモニタ０８０３にオペレータカードの挿入を促す画面を表示する（Ｓ２７０１）。
【０１２４】
以下、図２７のＳ２７１２における来客処理（入館処理）の概要を、図３０を使用して説明する。「来客」ボタンがタッチされた場合、モニタ０８０３には、サテライト選択画面が表示される（Ｓ３００１）。図３１にサテライト選択画面の表示例を示す。
【０１２５】
サテライト選択画面には、自動写真館（店舗）の状況を模式的に示す、館内状況情報３１０１と、「決定」、「キャンセル」といった表示が付けられた、１つ又は複数の処理ボタン３１０４が表示される。館内状況情報３１０１には、館内のスタジオを表す図形３１０２やサテライトを表す図形３１０３が、館内の実際の配置に、ほぼ一致する位置関係で表示される。スタジオを表す図形３１０２は、スタジオ番号などのスタジオの属性を表す情報や、そのスタジオを予約中の利用者の組数などスタジオの使用・予約状況を示す情報と共に表示される。また、サテライトを表す図形３１０３は、サテライト番号などのサテライトの属性を表す情報や、そのサテライトの使用状況と共に表示される。このとき、サテライトおよびスタジオの使用（稼動）状況に加えて、エラー発生状況等を色分けして表示することで、色分けにより「稼動中」、「エラー発生中」、「空き」等の状況を、従業員が直感的に判別可能となる。また、色分けせずに、スタジオやサテライトの使用状況を文字情報で表示しても良い。
【０１２６】
スタジオやサテライトの情報を一覧表に表示するだけでも、店舗内の状況把握は可能であるが、店舗内の実際の配置とほぼ一致する位置関係で表示することにより、どのスタジオやサテライトの情報であるかを、従業員が直感的に把握することができる。従って、スタジオを表す図形３１０２やサテライトを表す図形３１０３の表示位置や大きさは、実際の位置関係や大きさを厳密に再現する必要はない。
【０１２７】
従業員は、サテライトの使用状況を確認し、満席の場合は、利用者を待たせるか、または帰ってもらうこともできる。このとき、サテライト選択画面上に各サテライトの利用経過時間を表示するようにすれば、あとどの程度の時間でサテライトが空くかどうか推測できるので便利である。また、サテライト選択画面からサテライト予約ができるようにして、一旦、利用者に近辺で待機してもらい、空いた時点で携帯電話等に連絡するようにすることもできる。
【０１２８】
サテライトに空きがある場合には、必要に応じて利用者のグループの人数や、サテライトの好みの場所などを聞き、該当するサテライトをタッチペン０８０４でタッチする。空いているサテライトがタッチされると、そのサテライトを表す図形３１０３の色が、「空き」を表す色から、「選択中」を表す色に変わる。この状態で、別のサテライトに変更したくなった場合は、別のサテライトをタッチすると、そのサテライトを表す図形３１０３の色が、「空き」を表す色から、「選択中」を表す色に変わり、それまで「選択中」の色が表示されていたサテライトは、「空き」を表す色に変わる。
【０１２９】
このようにしてサテライトを選択した（Ｓ３００２）後、または、サテライトを選択することなく、処理ボタン３１０４が押下（タッチ）されると（Ｓ３００３）、押下した処理ボタンの種別を判定し（Ｓ３００４）、キャンセルボタンがタッチされた場合には、来客処理を終了する。このようにすることで、来館した利用者の気が変わり帰った場合にも対応することができる。
【０１３０】
決定ボタンがタッチされた場合には、図３０には書かれていないが、サテライトが選択されているかどうかをチェックし、選択されていない場合には、モニタ０８０３にサテライトの選択を促すメッセージを表示する。
【０１３１】
サテライトが選択されている場合には、モニタ０８０３に、利用者の人数を入力するように促す画面を表示し、タッチペン０８０４等を使用して人数の入力を行わせる（Ｓ３００５）。このとき、入力された利用者人数と選択したサテライトが適合しない場合（例えば、利用者が４人で、サテライトは２人がけの場合）には、図３０には書かれていないが、サテライト選択処理（Ｓ３００２）からやり直すことになる。
【０１３２】
人数が入力されると、選択されたサテライト番号、利用人数、サーバシステム０１０３に送信要求を行って受け取った情報などを、ＩＣカードＲ／Ｗ０８０６に挿入されているプレイヤカードに書き込み（Ｓ３００６）、来客処理を終了する。
【０１３３】
従業員は、出来上がったプレイヤカードを利用者に渡し、利用するサテライトの場所を指示する。このとき、サテライト毎にサテライト番号が札などで表示されていると便利である。また、館内の床に、案内灯を埋め込み、従業員がサテライト番号を指定すると、指定されたサテライトまでの道筋が案内灯によって指示されるようにすることも可能である。
【０１３４】
図３２にプレイヤカードのデータ構造を示す。プレイヤカードの店舗ＩＤ（Ｄ３２０２）には、サーバシステム０１０３から受け取った店舗番号、プレイヤＩＤ（Ｄ３２０３）には、店舗で一意となる識別コードが記録される。このような識別コードは、例えば、プレイヤカード作成時の年月日時分秒を組み合わせることによって生成することができる。
【０１３５】
追番（Ｄ３２０４）は、プレイヤカードを最初に作成したときに０を設定し、来客処理でプレイヤカードの内容を書き換えるごとに１ずつカウントアップする。こうすることにより、カードが何回使用されたかを管理することができ、例えば、ＩＣカードを交換する場合の目安として使用することができる。
【０１３６】
サテライト番号（Ｄ３２０５）には、利用者が使用するサテライトのＩＤを、客人数（Ｄ３２０６）には、利用者の人数を設定する。
【０１３７】
予約ＩＤ（Ｄ３２０７）、プレイヤ名１（Ｄ３２０８）、プレイヤ名２（Ｄ３２０９）、プレイヤ名３（Ｄ３２１０）、プレイヤ名４（Ｄ３２１１）には、初期値を設定する。なお、この例ではプレイヤ名が４つしか準備されていないが、自動写真館の構造や、利用者の状況に応じて、適時増加することは可能である。
【０１３８】
プレイヤカードを作成すると同時に、プレイヤカード登録ファイル（図１１）に、そのプレイヤの情報が記録される。具体的には、プレイヤＩＤ（Ｄ１１０１）には、プレイヤカードのプレイヤＩＤ（Ｄ３２０３）に設定したものと同じ値が、追番（Ｄ１１０２）には、プレイヤカードの追番（Ｄ３２０４）に設定したものと同じ値が、登録年月日（Ｄ１１０３）と最終アクセス年月日（Ｄ１１０４）には、プレイヤカードが作成された年月日がそれぞれ記録される。最終アクセス年月日（Ｄ１１０４）には、以降、対応するプレイヤカードが使用される毎に、使用した年月日が設定される。
【０１３９】
次に、来客処理が終了した利用者がサテライトで行う、スタジオ予約処理を中心に、サテライトシステム０１１０の動作を説明する。
【０１４０】
図３３は、サテライトシステム０１１０において利用者によって行われる処理の概要を示すフローチャートである。
【０１４１】
サテライトシステム０１１０のＣＰＵ１７０１は、起動されると、モニタ１７０３にＩＣカードの挿入を促す画面を表示し（Ｓ３３０１）、ＩＣカードＲ／Ｗ１７０６にＩＣカードが挿入されるまで待つ（Ｓ３３０２）。ＩＣカードＲ／Ｗ１７０６にＩＣカードが挿入されると、ＩＣカードに記録されたカード種別を参照し（Ｓ３３０３、Ｓ３３０４）、プレイヤカード、オペレータカードのいずれとも異なるＩＣカードが挿入されている場合は、モニタ１７０３に挿入されたカードが間違っていることを示すメッセージを表示する（Ｓ３３０５）。このときの画面の表示例を図２８に示す。利用者または従業員がタッチペン１７０４等の入力デバイスを使用して画面の「ＯＫ」と表示された部分をタッチすると（Ｓ３３０６）、再び、ＩＣカードの挿入を促す画面が表示される（Ｓ３３０１）。
【０１４２】
もし、オペレータカードが挿入されていた場合には、メンテナンス処理が可能になる（Ｓ３３０７）。メンテナンス処理では、レタッチ用（画像編集用）プログラムのバージョンアップ、タッチペン等の機器の動作テスト、サテライトの属性（対面２人掛け、横並び２人掛け、４人掛け等）の設定、変更などを行うことができる。メンテナンス処理が終了し、オペレータカードが引き抜かれると（Ｓ３３０８）、再び、ＩＣカードの挿入を促す画面が表示される（Ｓ３３０１）。
【０１４３】
利用者が、プレイヤカードを挿入すると、プレイヤカードに記録されたサテライト番号（Ｄ３２０５）と、サテライトシステムの磁気ディスク１７０８に記録されているサテライト番号を比較する（Ｓ３３０９）。一致していない場合は、そのサテライトを予約した利用者ではないので、モニタ１７０３に、ＩＣカードが誤っているかまたは予約した利用者ではない旨のメッセージを表示する（Ｓ３３１０）。このときの画面の表示例を図２８に示す。利用者がタッチペン１７０４等の入力デバイスを使用して画面の「ＯＫ」と表示された部分をタッチすると（Ｓ３３１１）、再び、ＩＣカードの挿入を促す画面が表示される（Ｓ３３０１）。
【０１４４】
予約済み利用者だった場合、プレイヤカードに記録されたプレイヤ名１（Ｄ３２０８）が初期値かどうか判定する。すなわち、初期値だった場合には、カウンタ０１０２で来客処理を終了したばかりの利用者なので、プレイヤ名入力を行い（Ｓ３３１３）、既に設定されている場合は、スタジオでの撮影から戻ってきた利用者なので、プレイヤ名入力を行わない。
【０１４５】
プレイヤ名入力画面の例を図３４に示す。ここでは、利用者グループの人数が２名である場合の表示例を示しており、２名の利用者に対し個別に入力操作画面がそれぞれ割り当てられている。利用者が１名の場合は、図３４に示す画像の左半分のみが表示される。利用者が３名以上の場合は、図示していないが、「次の利用者」等の表示文字を伴ったボタンが表示され、これをタッチすることにより、３人目、４人目のプレイヤ名を入力することができる。
【０１４６】
また、反転ボタン（３４０１ａ、３４０１ｂ）をタッチすることにより、画像を反対向きに表示することができる。図３５は、図３４で図示右側の反転ボタン３４０１ｂをタッチした場合の表示例を示している。当然ながら、同じ反転ボタンを２回タッチすると、画像の向きは元に戻る。
【０１４７】
画面には、入力されたプレイヤ名を表示するフィールド３４０２と、プレイヤ名を入力するために使用する数字や英字が表示される擬似キーボード部３４０３が表示される。利用者は擬似キーボード部３４０３に表示された数字等をタッチすることにより、プレイヤ名を１文字ずつ入力することができる。擬似キーボード部３４０３には、数字に変えて英字やかなを表示させるためのボタンを備えることができる。また、より本格的な例えばＪＩＳ配列のキーボードを模した画像を表示し、仮名漢字変換機能等も使用してプレイヤ名を入力させることもできる。
【０１４８】
入力されたプレイヤ名は、プレイヤカードのプレイヤ名１（Ｄ３２０８）、プレイヤ名２（Ｄ３２０９）、プレイヤ名３（Ｄ３２１０）、プレイヤ名４（Ｄ３２１１）に記録される。
【０１４９】
プレイヤ名の入力が不要だった場合、またはプレイヤ名の入力が終わると、サテライトメニュー画面が表示される（Ｓ３３１４）。サテライトメニュー画面の表示例を、図３６に示す。
【０１５０】
サテライトメニュー画面に表示された「スタジオ予約」、「写真を見る／レタッチ」、「プリント」、「会計」の各ボタンのいずれかがタッチされると、妥当なボタンが選択されたかどうかのチェックを行う。
【０１５１】
例えば、まだ撮影していないのに、「写真を見る／レタッチ」、「プリント」、「会計」ボタンがタッチされたり、スタジオを予約した後でスタジオで撮影せずに再度「スタジオ予約」ボタンをタッチしたような場合には、サテライトメニュー画面のいずれかに、操作が誤っている旨のメッセージを表示し、適切なボタンをタッチするように促す（Ｓ３３１５）。
【０１５２】
上記のような判定は、例えばサテライトシステムの磁気ディスク１７０８に利用者の操作履歴情報を、例えばプレイヤＩＤをキーとして、各プレイヤＩＤ毎に、スタジオ予約、撮影、レタッチ、会計等の各処理が終了しているかどうかの識別情報を記録することによって実現することができる。なお、このような識別情報を記録する場合には、来客処理時に識別情報を「未終了」状態にし、スタジオ予約等の各処理が終了するごとに、対応する識別情報に「終了」を意味するデータを設定すればよい。
【０１５３】
次に、タッチされたボタンの種別によって、それぞれ対応する処理を行う（Ｓ３３１６）。「スタジオ予約」ボタンが押された（タッチされた）場合には、スタジオ予約処理（Ｓ３３１７）、「写真を見る／レタッチ」ボタンが押された（タッチされた）場合には、レタッチ処理（Ｓ３３１８）、「プリント」ボタンが押された（タッチされた）場合には、プリント指示処理（Ｓ３３１９）、「会計」ボタンが押された（タッチされた）場合には、会計処理（Ｓ３３２２、Ｓ３３２３）を行う。
【０１５４】
各処理が正常に終了すると、モニタ１７０３には、図３７に例示するような終了メッセージが表示され、利用者にプレイヤカードを引き抜くように指示すると共に、次にとるべき行動を指示する（Ｓ３３２１）。なお、図３７には会計処理が終了した場合に表示するメッセージを示しているが、例えばスタジオ予約処理が終了した場合には、スタジオが空いたら移動するように指示するメッセージを表示する等、終了した処理によってメッセージの内容を変更すべきである。
【０１５５】
プレイヤカードが引き抜かれると（Ｓ３３２１）、再び、ＩＣカードの挿入を促す画面が表示される（Ｓ３３０１）。
【０１５６】
レタッチ処理、プリント指示処理、会計処理については、撮影が終了した後の処理になるので後述することにし、ここでは、スタジオ予約処理について説明する。
【０１５７】
図３８は、サテライトシステム０１１０において利用者によって行われるスタジオ予約処理の概要を示すフローチャートである。
【０１５８】
まず、モニタ１７０３に、撮影モードの選択を促す画面が表示される（Ｓ３８０１）。特に図示していないが、画面には撮影モードとして「マニュアルモード」と「オートモード」を選択するボタンが表示される。
【０１５９】
利用者が、「マニュアルモード」ボタンをタッチした場合（利用者が撮影モードとして「マニュアルモード」を選択した場合）には、スタジオ予約画面が表示される（Ｓ３８０３）。
【０１６０】
スタジオ予約画面の表示例を図４０に示す。スタジオ予約画面には、スタジオ毎に、スタジオ番号、土足の可否、ホリゾントカーテンの色、待ちグループ数が表示されると共に、「予約する」のボタンが表示される。スタジオの情報としては、以上の他にも、広さや使用頻度（人気度）など、利用者にとって有益な情報を適宜表示すればよい。また、待ちグループ数を表示するだけでなく、各スタジオについて１利用者（１グループ）あたりの平均使用時間を算出し、これと待ちグループ数を掛けて、予想待ち時間として表示しても良い。
【０１６１】
ボタンとしては、「予約する」のみで、処理をキャンセルするボタンを表示していないが、これは、いずれにしても予約を行わなければ処理が進まないため、仮にキャンセルを可能にしても、利用者としては再度スタジオ予約画面を表示する以外にはないためである。もし、２つ以上のスタジオを同時に予約するようなことを可能にするのであれば、この画面にキャンセルボタンを追加する必要がある。
【０１６２】
利用者が任意のスタジオ番号をタッチペン１７０４でタッチすると、タッチされたスタジオ番号のフィールドを黄色等にして強調表示する。これは、利用者がどのスタジオを選択したのかを確認しやすくするためである。利用者がさらに別のスタジオ番号をタッチすると、先に黄色等で強調表示されたスタジオ番号のフィールドが通常の色に変わり、新たに選択したスタジオ番号のフィールドが黄色等で強調表示される。１つのスタジオしか予約できないという前提では、選択を解除する方法は特に設ける必要はないが、もし、２つ以上のスタジオを同時に予約するようなことを可能にするのであれば、利用者が任煮のスタジオ番号をタッチペン１７０４でタッチするたびに、タッチされたスタジオ番号のフィールドを黄色等にして強調表示し、強調表示されたスタジオ番号をタッチすると強調表示を解除するというような方式にする必要がある。
【０１６３】
いずれかのスタジオが選択された（強調表示された）状態で「予約する」ボタンがタッチされると（Ｓ３８０４）、スタジオ予約結果画面が表示される（Ｓ３８０５）。
【０１６４】
スタジオ予約結果画面の表示例を図４１に示す。表示内容は基本的にはスタジオ予約画面と同じであるが、画面上部のメッセージが異なるほか、待ちグループ数が更新され、利用者が選択したスタジオの情報は黄色を背景に表示するなどの方法で強調表示される。また、「ＯＫ」、「キャンセル」の２つのボタンが表示される。利用者が、いずれかのボタンをタッチすると（Ｓ３８０６）、タッチされたボタンを判定し、「キャンセル」ボタンの場合には、再び撮影モード選択画面を表示し（Ｓ３８０１）、「ＯＫ」ボタンの場合には、スタジオ予約処理を終了する。
【０１６５】
利用者により、撮影モードとして「オートモード」が選択された場合には、出来上がりイメージ選択画面を表示する。出来上がりイメージ選択画面の表示例を、図４２に示す。出来上がりイメージ選択画面には、さまざまな照明状態やポーズでの出来上がりイメージ写真の見本画像が表示される。図４２では８枚しか表示されていないが、「次へ」ボタンなどを表示し、このボタンをタッチすることにより、ファッション雑誌のページをめくるように、次々と出来上がりイメージを表示することも可能である。
【０１６６】
利用者は表示された出来上がりイメージの中から気に入った写真をタッチすることで出来上がりイメージを選択する（Ｓ３８０８）。
【０１６７】
この出来上がりイメージ写真の見本画像は、サーバシステム０１０３の磁気ディスク０７０８に記録されており、また、それぞれの出来上がりイメージ毎に、ストロボ光量（各灯毎に記憶）、カメラ位置／角度／デジタルズーム倍率、被写体の立ち位置、被写体の視線位置、背景カーテンまたはクロマキー柄、使用した小物、使用したインテリア等々の、同じイメージの写真を撮影するために必要な情報が記録されている。サテライトシステム０１１０のＣＰＵ１７０１は、ネットワーク０１１４を経由して、サーバシステム０１０３から上記の情報を取得し、選択された出来上がりイメージ写真を撮影するのに最も適したスタジオを選択する（Ｓ３８０９）。例えば、見本画像毎に、予め、各撮影スタジオの適合度を、０点から１００点までの評価点で記録しておき、空きスタジオの中から、最も評価点の高いものを選択する、あるいは、空き、予約待ちに関係なく、最も評価点の高いものを選択すればよい。また、評価点を予め設定するのではなく、例えばストロボ光量の適合度等、スタジオの個々の要素毎に、評価点を計算し、これを合算するという方法も可能である。
【０１６８】
なお、利用者ごとの撮影枚数が例えば６枚である場合、各撮影ごとに出来上がりイメージ写真を選択することもできる。この場合には、撮影スタジオの選択には、例えば、最大枚数の写真が最適条件で撮影できるようにする等の基準で行う必要がある。また、出来上がりイメージ写真の選択は、各利用者ごとにそれぞれ行うようにすることもできる。この場合、例えば、利用者ごとの撮影枚数が６枚で、利用者が３人であれば、合計１８枚の出来上がりイメージ写真が選択されることになる。
【０１６９】
ここで、前述の例では、スタジオ予約状況を考慮に入れず、選択された出来上がりイメージ写真を撮影するのに最適なスタジオを決定するようにしている。これは、利用者が所望する出来上がりイメージ写真の撮影を行うためには、最適なスタジオでの撮影が望まれるからであり、利用者に多少の待ち時間を与えても、利用者はこれを許容するであろうと考えられるからである。しかし、自動写真館の運営側の顧客回転率の向上や、利用者に待ちの退屈感を与えないという観点からは、選択された最適なスタジオにおける予約状況を考慮して、待ちグループ数が多い場合には、出来上がりイメージ写真の変更を、利用者に促すようにしてもよい。あるいは、待ちグループ数が少ない、あるいは予約されていないスタジオの中から、利用者が指定した出来上がりイメージ写真の撮影を行うのに適した、次位のスタジオを選択するようになすことも可能である。
【０１７０】
また、前述の例では、出来上がりイメージ写真が指定された場合のスタジオの選択は、サテライトシステム０１１０側で行っているが、サーバシステム０１０３側で行うようにしても差し支えない。
【０１７１】
「マニュアルモード」、「オートモード」いずれの場合についても、スタジオ予約処理終了の前に、プレイヤカードの予約ＩＤ（Ｄ３２０７）に、予約したスタジオのスタジオ番号と予約が行われた年月日時分秒が記録される。
【０１７２】
また、利用者が「マニュアルモード」、「オートモード」のどちらを選択したか、および、「オートモード」の場合に選択した出来上がりイメージの情報は、磁気ディスク１７０８に記録され、撮影時にスタジオシステム０１１１からの送信要求に応じて、スタジオシステム０１１１に送られる。
【０１７３】
なお、図３３のサテライトにおける処理において、スタジオ予約を行い、終了画面が表示された（Ｓ３３２０）状態で、予約したスタジオが利用中だった場合、利用者はプレイヤカードを抜き取らずにサテライトで待つ、あるいは、一旦プレイヤカードを引き抜き、再度、プレイヤカードを挿入して、サテライトメニュー画面が表示された状態（Ｓ３３１４）で待つということが考えられる。
【０１７４】
いずれの場合であっても、予約したスタジオが、当該サテライトの利用者に対して使用可能な状態になると（使用中や先約の利用者がある場合には、これらの全ての利用者による当該スタジオの使用が終了すると）、当該スタジオのスタジオシステム０１１１からの通知を受けた（あるいは、サーバシステム０１０３からの通知を受けた）サテライトシステム０１１０において、画面表示処理に割り込みが発生し、スタジオ案内画面表示処理が実行される。
【０１７５】
図３９にスタジオ案内画面表示処理の概要を示す。スタジオ案内画面表示処理では、まずスタジオ案内画面が表示される（Ｓ３９０１）。図４３にスタジオ案内画面の表示例を示す。
【０１７６】
スタジオ案内画面には、自動写真館（店舗）の状況を模式的に示す、館内状況情報４３０１が表示される。館内状況情報４３０１には、館内のスタジオを表す図形４３０２やサテライトを表す図形４３０３が、館内の実際の配置に、ほぼ一致する位置関係で表示される。スタジオを表す図形４３０２は、スタジオ番号などのスタジオの属性を表す情報や、そのスタジオを予約中の利用者の組数などスタジオの使用・予約状況を示す情報と共に表示される。また、サテライトを表す図形４３０３は、サテライト番号などのサテライトの属性を表す情報と共に表示される。
【０１７７】
このとき、利用者が使用しているサテライト、および、予約済みの、すなわちこれから移動する先のスタジオを色分けして表示するとよい。色分けにより、利用者がどこからどこに移動すればよいかを直感的に判別可能となる。
【０１７８】
次に、利用者が実際に撮影を行う、スタジオシステム０１１１の動作を説明する。図４４は、スタジオシステム０１１１において利用者によって行われる処理の概要を示すフローチャートである。
【０１７９】
スタジオシステム０１１１のＣＰＵ２２０１は、起動されると、モニタ２２０３にＩＣカードの挿入を促す画面を表示し（Ｓ４４０１）、ＩＣカードＲ／Ｗ２２０６にＩＣカードが挿入されるまで待つ（Ｓ４４０２）。ＩＣカードＲ／Ｗ２２０６にＩＣカードが挿入されると、ＩＣカードに記録されたカード種別を参照し（Ｓ４４０３、Ｓ４４０４）、プレイヤカード、オペレータカードのいずれとも異なるＩＣカードが挿入されている場合は、モニタ２２０３に挿入されたカードが間違っていることを示すメッセージを表示する（Ｓ４４０５）。このときの画面の表示例を図２８に示す。利用者または従業員がタッチペン２２０４等の入力デバイスを使用して画面の「ＯＫ」と表示された部分をタッチすると（Ｓ４４０６）、再び、ＩＣカードの挿入を促す画面が表示される（Ｓ４４０１）。また、単にＩＣカードを引き抜くことによっても、再び、ＩＣカードの挿入を促す画面が表示される（Ｓ４４０１）。
【０１８０】
もし、オペレータカードが挿入されていた場合には、メンテナンス処理が可能になる（Ｓ４４０７）。メンテナンス処理では、撮影用プログラムのバージョンアップ、ストロボ等の機器の動作テスト、スタジオの属性（ホリゾンタルカーテンの有無等）の設定、変更などを行うことができる。メンテナンス処理が終了し、オペレータカードが引き抜かれると（Ｓ４４０８）、再び、ＩＣカードの挿入を促す画面が表示される（Ｓ４４０１）。
【０１８１】
利用者が、プレイヤカードを挿入すると、プレイヤカードの予約ＩＤ（Ｄ３２０７）に設定されたスタジオ番号と、スタジオシステムの磁気ディスク２２０８に記録されているスタジオ番号を比較する（Ｓ４４０９）。一致していない場合は、そのスタジオを予約した利用者ではないので、モニタ２２０３に、ＩＣカードが誤っているかまたは予約した利用者ではない旨のメッセージを表示する（Ｓ４４１０）。このときの画面の表示例を図２８に示す。利用者がタッチペン２２０４等の入力デバイスを使用して画面の「ＯＫ」と表示された部分をタッチする、あるいは、単にプレイヤカードを引き抜くと（Ｓ４４１１）、再び、ＩＣカードの挿入を促す画面が表示される（Ｓ４４０１）。一致していた場合には、撮影中ランプ２２３４を点灯する。
【０１８２】
スタジオシステム０１１１のＣＰＵ２００１は、プレイヤカードのサテライト番号（Ｄ３２０５）を参照し、サテライトシステム０１１０から、利用者が選択した撮影モードや、オートモードが指定されていた場合の、利用者が選択した出来上がりイメージ写真、それぞれの出来上がりイメージ毎の、ストロボ光量（各灯毎に記憶）、カメラ位置／角度／デジタルズーム倍率、被写体の立ち位置、被写体の視線位置、背景カーテンまたはクロマキー柄、使用した小物、使用したインテリア等、同じイメージの写真を撮影するために必要な情報を、取得する（あるいは場合によっては、これらの情報はサーバシステム０１０３から取得するようにしてもよい）。
【０１８３】
利用者がオートモードを選択していた場合には、照明、背景、カメラ位置を利用者が選択した見本と同じ効果を得ることができるように設定する。また、立ち位置指示ランプ２２３７の１つで床面にスポットライトを照射し、音声でのナレーションにより、指定した位置に立つように指示する。さらに、視線指示ランプ２２３９の１つを点灯し、音声でのナレーションにより、指定した方向を見るように指示する。体の向き、ポーズなどについても、音声でのナレーションにより指示を行う（Ｓ４４１７）。
【０１８４】
所定時間が経過すると、撮影のカウントダウンを音声でのナレーションにより通知すると共に、モニタ２２０３にも表示し、所定時刻が経過した時点で撮影を行う（Ｓ４４１８）。
【０１８５】
撮影が終了すると、所定枚数分の撮影が終了したかどうか判定し（Ｓ４４１９）、まだ終了していない場合は、再び撮影条件の設定処理を行う（Ｓ４４１３またはＳ４４１７）。
【０１８６】
なお、利用者が撮影する写真ごとに出来上がり見本を選択していた場合には、各撮影ごとに、出来上がり見本に合わせた撮影条件設定を行う必要がある。そうすると、利用者が選択した写真順に撮影を行うと、カーテンを替えたり、スタジオインテリアを変えたりするときに多大な準備時間がかかる可能性がある。そこで、準備時間を短縮するためには、利用者が選択した出来上がり見本の撮影条件を、例えば、使用するカーテン等、準備時間が長いものによってグループ化し、できるだけ同じ条件の撮影が連続して実行されるようにすることが好ましい。
【０１８７】
利用者がマニュアルモードを選択していた場合には、照明、背景、カメラ位置を利用者自身が設定するように指示する。まず、ナレーション等により、利用者に適切な照明を設定するように指示する。照明の設定は、図示しないがモニタ２２０３に、例えば「秋の夕暮れ」、「夏の海辺」等の状況表示を行い、利用者がリモコンスイッチ２２４５のボタンを使用していずれかを選択すると、ＣＰＵ２２０１が、選択された状況に適合するような照明を設定することによって実現される（Ｓ４４１３）。あるいは、全ての照明の概略位置をモニタ２２０３に表示し、そのうちのどれを使用するかを利用者に選択させることもできる。こうすることによって、より細やかな選択が可能になる。ただし、写真の照明効果についてよく知らない利用者には、個々の照明を指定して選択するのは困難である。この場合、いくつかの照明使用パターンを予め準備し、それぞれの照明効果についての説明を表示して、選択させることもできる。また、以上の照明選択方法を組み合わせて使用することもできる。
【０１８８】
次に、ナレーション等により、利用者に適切な背景を設定するように指示する。背景の設定は、図示しないがモニタ２２０３に、例えば、文字や画像などで「秋の夕暮れ」、「夏の海辺」等の状況表示を行い、利用者がリモコンスイッチ２２４５のボタンを使用していずれかを選択すると、ＣＰＵ２２０１が、選択された状況に適合するような背景を設定することによって実現される（Ｓ４４１４）。また、利用者は、リモコンスイッチ２２４５で操作せずに、あるいはリモコンスイッチ２２４５による背景設定に加えて、カーテン操作スイッチ２２４２を操作することにより、直接背景機構２２３０を動作させて背景を設定することもできる。こうすることにより、より細かな背景設定が可能になる。
【０１８９】
次に、ナレーション等により、利用者にカメラの高さと向きを設定するように指示する。カメラの高さと向きの設定は、図示しないがモニタ２２０３に、被写体を撮影した映像を表示し、利用者が、立ち位置を変えてみたり、リモコンスイッチ２２４５のボタンを使用して、気に入った高さと向きを選択することにより実現される（Ｓ４４１５）。
【０１９０】
以上の設定が行われると、撮影のカウントダウンを音声でのナレーションにより通知すると共に、モニタ２２０３にも表示し、所定時刻が経過した時点で撮影を行う（Ｓ４４１６）。
【０１９１】
オートモードあるいはマニュアルモードの撮影が終了すると、所定枚数分の撮影が終了したかどうかを判定するが、所定枚数を何枚とするかは、自動写真館の料金体系と合わせて決めるべきである。つまり、１グループあたりで所定の料金とする場合は、グループの利用者全体に対して所定枚数を決めればよいが、利用者１人ずつから所定料金を受け取る場合には、利用者１人について所定枚数を決め、グループ全体での所定枚数は、１人分の枚数×利用者人数とすべきである。
【０１９２】
なお、オートモードでの撮影時には、例えば、スタジオシステム０１１１のＣＰＵ２２０１が、プレイヤカードの挿入を検知して、利用者がスタジオを予約した適合者であると認証した後、利用者の着替え時間あるいは小物等の装着時間、各静止画の撮影毎の条件設定に要する時間などを加味して、利用者に対して、各静止画の１ショット毎に与える待ち時間を適正に制限して（１ショット毎に常に適正な待ち時間を与えるようにして）、この許容された時間内に、利用者に、立ち位置、ポーズ、目線を決めるようにしてもらうようにする。このようにすることで、利用者にある程度余裕をもった撮影準備時間を与えることができると同時に、利用者によるスタジオの冗長な使用を制限することが可能となる。同様に、マニュアルモードの撮影時にも、例えば、スタジオシステム０１１１のＣＰＵ２２０１が、プレイヤカードの挿入を検知して、利用者がスタジオを予約した適合者であると認証した後、利用者の着替え時間あるいは小物等の装着時間、各静止画の撮影毎の利用者自身の条件選択に要する時間と、これに応じたシステム側の準備動作時間などを加味して、利用者に対して、各静止画の１ショット毎の与える待ち時間を適正に制限して（１ショット毎に常に適正な待ち時間を与えるようにして）、この許容された時間内に、利用者に、立ち位置やポーズなどを決めるようにしてもらうようにする。このようにすることで、利用者にある程度余裕をもった撮影準備時間を与えることができると同時に、利用者によるスタジオの冗長な使用を制限することが可能となる。
【０１９３】
なおまた、マニュアルモードでの、照明や背景等の設定処理を、オートモードにおいても実施できるようにしても良い。オートモードで自動的に照明、背景等を設定した後、さらに利用者が照明や背景等を変更できるようにすることで、大雑把な設定は自動的に行い、細かな調節は利用者が好みにあわせて行うということが可能になる。ただし、クロマキー撮影を行う必要がある場合にクロマキーカーテンが下ろされていないなどの状況が発生することを防止するため、利用者が間違った操作を行おうとした場合には、モニタ２２０３に警告メッセージを表示するなどの対策が必要である。
【０１９４】
所定枚数の撮影が終了すると、モニタ２２０３に撮影が終了したことを表示し、プレイヤカードを引き抜くように指示するメッセージを表示する（Ｓ４４２０）。プレイヤカードが引き抜かれると、撮影中ランプ２２３４を消灯し、モニタ２２０３には、ＩＣカードの挿入を促す画面を表示する（Ｓ４４０１）。
【０１９５】
なお、ＣＰＵ２２０１は、被写体の静止画が撮影される毎に、その静止画のデータをメモリ２２０２に記憶させ、所定枚数の撮影が終了した時点で、あるいは、１枚の撮影が終了する毎に、サーバシステム０１０３および撮影を行った利用者に割り当てられたサテライトシステム０１１０へ、撮影済みの静止画を転送する。ここで、静止画のデータは、プレビュー用の動画像に比べるとはるかに高精細の画像データであり、サーバシステム０１０３に対しては、この高精細の画像データをそのまま送信し、サテライトシステム０１１０に対しては、当該サテライトシステム０１１０における画像処理の負担を軽減して画像処理時間を短くするために、解像度を落とした画像データを送信する。このようにすることで、スタジオシステム０１１１からサテライトシステム０１１０への画像転送時間も短縮することができて、利用者がサテライト０１０６に戻ると、直ちに画像編集の操作（レタッチ）を行うことが可能となっている。
【０１９６】
利用者は撮影が終了するとプレイヤカードを引き抜き、サテライト０１０６に引き返して、レタッチ処理を行う。以下、レタッチ処理について、図３３を使用して説明する。なお、以下の説明では、利用者はスタジオ予約したサテライトに引き返すようにしているが、そうではなく、利用者がスタジオシステム０１１１を使用開始した時点で、元のサテライトは使用解除し、例えば、スタジオシステム０１１１において、レタッチを行うサテライトを再選択できるようにしても良い。このようにすることで、サテライトを比較的短時間で開放することが可能になる。ただし、このようにする場合には、利用者の荷物や飲食物を一時的に保管する等の仕組みが必要になる。
【０１９７】
利用者がサテライト０１０６に戻って、プレイヤカードをＩＣカードＲ／Ｗ１７０６に挿入すると、ＣＰＵ１７０１はプレイヤカードの判定等を行った後、サテライトメニュー画面を表示する（Ｓ３３１４）。利用者がメニューの中から「写真を見る／レタッチ」を選択すると、レタッチ処理（Ｓ３３１８）が行われる。
【０１９８】
図４５は、レタッチ処理における、レタッチ対象画像選択画面の表示例である。図４６はレタッチ処理におけるレタッチ画面の表示例である。以下、レタッチ処理の概要を、図４５、図４６を使用して説明する。
【０１９９】
ＣＰＵ１７０１はモニタ１７０３に、レタッチ対象画像選択画面を表示する。具体的には、スタジオにおいて撮影した写真のサムネイル４５０２、サムネイル４５０２をスクロール表示するためのスクロールボタン４５０１、選択処理が終了したときに利用者がタッチするボタン４５０４が表示される。
【０２００】
図４５においてはサムネイル４５０２が４枚表示されているが、表示枚数は４枚に限るものではなく、モニタ１７０３のサイズ等を考慮して決めればよい。例えば、撮影枚数が６枚であり、サムネイル４５０２の表示枚数が４枚である場合には、全ての撮影済み写真をサムネイルとして同時に表示することができない。このため、スクロールボタン４５０１を表示させ、利用者がスクロールボタン４５０１をタッチする毎に、サムネイル４５０２を左右にスクロールして表示させる。
【０２０１】
利用者がサムネイル４５０２の中から気に入ったものをタッチすると、タッチしたサムネイル４５０２を拡大した画像が、選択画像４５０３に表示される。順に複数のサムネイル４５０２をタッチすると、タッチした画像は全て選択画像４５０３に表示される。以下の例では、選択可能な枚数を４枚とし、４枚選択済みの状態で、５枚目のサムネイル４５０２がタッチされた場合には、エラーメッセージが表示される、あるいは、選択画像４５０３の中から入れ替える画像をタッチするように促すメッセージが表示される。
【０２０２】
利用者が１枚以上のサムネイル４５０２を選択し、ボタン４５０４にタッチすると、レタッチ対象画像選択処理は終了し、モニタ１７０３にはレタッチ画面が表示される。
【０２０３】
図４６は、モニタ１７０３でレタッチ（画像編集）する様子をサテライト上方から見た説明図である。モニタ１７０３には、レタッチ対象画像選択処理で選択された１枚以上の選択画像４６０２、レタッチに使用する各種ツール４６０３、画像反転ボタン４６０４が表示される。利用者が、タッチペン１７０４を使用して選択画像４６０２をタッチすると、選択した画像がレタッチ対象画像４６０１として表示される。
【０２０４】
各種ツール４６０３には、詳しく図示していないが、画像合成用のスタンプ画像、メッセージなどを画像に書き加えるためのペンツール、画像の色相、明度、彩度、コントラストなどを変更するための調整ボタン、トリミングボタンなどが表示される。利用者は、これらのツールのうちの必要なものをタッチすることによりツールを使用して、画像をレタッチすることができる。
【０２０５】
図４６では、２人の利用者が左右に並んで座ることを前提に、選択画像４６０２を挟んで左右に、各種ツール４６０３、レタッチ対象画像４６０１等が表示されるようになっている。図に向かって左側のレタッチ対象画像４６０１等は、左側のタッチペン１７０４を使用してレタッチし、図に向かって右側のレタッチ対象画像４６０１等は右側のタッチペン１７０４を使用してレタッチできる。
【０２０６】
ここで、レタッチ画面の表示方法は、図４６の例に限られるものではなく、サテライトの属性（対面２人掛け、横並び２人掛け、４人掛け）や、利用者の人数を判定して、レタッチ画面の表示形態を、サテライトシステム０１１０側で自動的に変更することが望ましい。例えば、対面２人掛けのサテライトにおいては、図４７のように利用者が向かい合ってレタッチできるように表示すればよい。また、サテライトの属性にかかわらず、利用者が１名の場合には、選択画像４６０２の左右のどちらか一方だけ表示しても良い。さらに、ＣＰＵ１７０１がサテライトの属性や利用者の人数を判定して、どのように表示しようとも、利用者は画像反転ボタン４６０４をタッチすることで、画像の向きを自由に変更することが可能である。
【０２０７】
また、図示していないが、モニタ１７０３上には終了ボタンも表示されており、利用者が終了ボタンをタッチすると、編集操作が終了したものとして、レタッチ対象画像の識別符号と対応付けて、レタッチ対象画像に対して貼り付けられたスタンプ画像と座標データ、ペン書きされた線描画像と座標データ、あるいは、レタッチ対象画像に施された画像の色相／明度／彩度／コントラストなどの変更データ等々の、レタッチ結果データ（編集合成用データ）を、メモリ１７０２に一旦記憶させて、レタッチ処理を終了し、モニタ１７０３には処理終了画面が表示される（Ｓ３３２０）。また、メモリ１７０２に記憶された、レタッチ対象画像の識別符号と対応付けられたレタッチ結果データ（編集合成用データ）は、サーバシステム０１０３に送られる。
【０２０８】
先にも述べたように、サテライトシステム０１１０では、解像度を落とした画像データを取り扱い、このように解像度を落としたレタッチ対象画像に対して利用者が行うレタッチ操作に基づく合成画像は、画像処理負担が少ないので、モニタ１７０３上にほぼリアルタイムで表示することができ、レタッチの操作性が良好なものとなる。また、サテライトシステム０１１０からは、高精細の画像データをサーバシステム０１０３に送るのではなく、レタッチ対象画像の識別符号と対応付けられたレタッチ結果データ（編集合成用データ）をサーバシステム０１０３に送るので、データ転送性にも優れたものとなる。
【０２０９】
なお、サーバシステム０１０３では、利用者によりプリント出力する画像が決定された時点で、スタジオシステム０１１１からの転送を受けて記憶保持している高精細の画像データと、サテライトシステム０１１０からの転送を受けて記憶保持している、画像データの識別符号と対応付けられたレタッチ結果データ（編集合成用データ）とを用いて、ポスターやカレンダーに匹敵する高精細の合成画像データを生成して、これをプリンタシステム０１０５に転送するようになっている。
【０２１０】
利用者は、次にプリント指示処理（図３３のＳ３３１９）を行うことになる。図４８は、サテライトシステム０１１０において利用者によって行われるプリント指示処理の概要を示すフローチャートである。
【０２１１】
まず、ＣＰＵ１７０１は、モニタ１７０３に、写真サイズ選択画面を表示する（Ｓ４８０１）。図４９に写真サイズ選択画面の表示例を示す。写真サイズ選択画面には、「ＬＡＤＹ１さんはどのサイズで印刷しますか？」といったような、プレイヤ名と固定文字を組み合わせた案内メッセージ４９０３と、写真サイズ選択ボタン４９０１と、決定ボタン４９０２が表示される。なお、図４９は利用者が２人の場合の表示例であるが、利用者が１人の場合は案内メッセージ４９０３、写真サイズ選択ボタン４９０１、決定ボタン４９０２を一組だけ表示すればよい。また、利用者が３人以上の場合には、図示していないが「次に」などと文字付けしたボタンを表示して、このボタンがタッチされると、３人目以降の利用者のための写真サイズ選択画面が表示されるようにすることができる。
【０２１２】
自動写真館の場合はシール印刷と違って、大き目のサイズの写真（画像）を数枚印刷するのが目的であるので、選択すべきサイズの種類も限られる。そのため、図４９の表示例のように選択ボタンの数も限られると考えられるが、もし多数の（例えば数十種類の）選択が可能な場合には、写真サイズ選択ボタン４９０１をスクロール表示させるなどの工夫が必要になる。
【０２１３】
利用者が、写真サイズ選択ボタン４９０１のいずれかをタッチすると、タッチされたボタンの背景色を黄色等に変更させて表示する。これにより、利用者がどのサイズを選択しているかをビジュアルに知ることができる。この場合、サイズの選択を間違えた場合には、別の写真サイズ選択ボタン４９０１をタッチすると、新たにタッチしたボタンの背景色を黄色等に変更させて表示するとともに、既に背景色を黄色等に変更させて表示されていたボタンの背景色を通常に戻して表示する等により、選択誤りを回復するための処理が必要になる。
【０２１４】
利用者が、写真サイズを選択した上で、決定ボタン４９０２をタッチすると、その利用者の写真サイズ選択は終了する。このとき、選択終了した利用者の案内メッセージ４９０３、写真サイズ選択ボタン４９０１、決定ボタン４９０２の表示部分に、３人目の利用者の案内メッセージ４９０３、写真サイズ選択ボタン４９０１、決定ボタン４９０２を表示することもできる。こうすることにより、３人目以降の利用者を不必要に待たせることなく、全員の写真サイズ選択を効率的に行うことができる。
【０２１５】
利用者全員の写真サイズ選択が終了すると（Ｓ４８０２）、ＣＰＵ１７０１は、モニタ１７０３に、写真選択画面を表示する（Ｓ４８０３）。図５０に写真選択画面の表示例を示す。写真サイズ選択画面には、「ＬＡＤＹ１さんはどの写真を印刷しますか？」といったような、プレイヤ名と固定文字を組み合わせた案内メッセージ５００１と、写真選択部５００２と、決定ボタン５００３等が表示される。なお、図５０は利用者が２人の場合の表示例であるが、利用者が１人の場合は案内メッセージ５００１と、写真選択部５００２、決定ボタン５００３等を一組だけ表示すればよい。また、利用者が３人以上の場合には、図示していないが「次に」などと文字付けしたボタンを表示して、このボタンがタッチされると、３人目以降の利用者のための写真選択画面が表示されるようにすることができる。
【０２１６】
案内メッセージ５００１には、写真サイズ選択結果に従って、利用者が選択して印刷することができる写真の枚数も表示される。また、写真選択部５００２には、利用者がレタッチした写真（合成画像）と、左右へのスクロールボタンが表示される。利用者はスクロールボタンをタッチすることで、レタッチした写真全てを見ることができる。
【０２１７】
利用者が、写真選択部５００２に表示された写真のいずれかをタッチすると、タッチした写真が、選択済画像表示部５００３に表示される。順に複数の写真をタッチすると、タッチした画像は全て選択済画像表示部５００３にに表示される。選択可能な枚数が２枚の場合、２枚選択済みの状態で、３枚目の写真がタッチされた場合には、エラーメッセージが表示される、あるいは、選択済画像表示部５００３の中から入れ替える画像をタッチするように促すメッセージが表示される。
【０２１８】
利用者が所定枚数の写真を選択した上で、決定ボタン５００４をタッチすると、その利用者の写真選択は終了する。このとき、選択終了した利用者の案内メッセージ５００１と、写真選択部５００２、決定ボタン５００３等の表示部分に、３人目の利用者の案内メッセージ５００１と、写真選択部５００２、決定ボタン５００３等を表示することもできる。こうすることにより、３人目以降の利用者を不必要に待たせることなく、全員の写真選択を効率的に行うことができる。
【０２１９】
利用者全員の写真サイズ選択が終了すると（Ｓ４８０４）、ＣＰＵ１７０１は、通信回線０１１４を経由して、サーバシステム０１０３に、印刷対象となる画像の識別符号と写真サイズを送付して、印刷を行うように依頼する（Ｓ４８０５）。また、モニタ１７０３に、図示しないが、印刷受付画面を表示し、利用者に印刷受け付け中である旨のメッセージ等を表示する（Ｓ４８０６）。利用者が印刷受付画面上の「ＯＫ」ボタンをタッチすると、プリント指示処理を終了する。これを受けて、サーバシステム０１０３は、高精細の合成画像データを生成して、これをプリンタシステム０１０５によって、高品質の用紙に印刷出力させる。
【０２２０】
なお、利用者が撮影・レタッチした写真（合成画像）を気に入り、追加印刷したいと考える可能性がある。このような希望にこたえるため、追加印刷を可能にすることもできる。追加印刷は、サテライトにおける処理（図３３）において、プリント指示処理を選択したときに、再度プリント指示処理（Ｓ３３１９）が行われるようにしても良い。また、追加印刷の対象写真は、通常の印刷に比べて少ないと思われるので、図５１、図５２のように、利用者を指定せずに、すべての利用者がレタッチした写真の中から、追加印刷するものを選択するようにしても良い。すなわち、この場合には、図４８、図４９の写真サイズ選択画面、写真選択画面として、それぞれ、図５１、図５２のような画面が表示されることになる。この場合の処理は前述したものと同じであるので、説明を省略する。
【０２２１】
利用者は、最後に会計処理（図３３のＳ３３２２、Ｓ３３２３）を行うことになる。サテライトメニュー選択画面で「会計」ボタンがタッチされると、ＣＰＵ１７０１は通信回線０１１４を経由して、プリンタシステム０１０４に、このサテライトから依頼した印刷が完了したかどうかを問い合わせる（Ｓ３３２２）。印刷が完了していた場合には、既に説明したように、モニタ１７０３に、サテライトでの処理は全て終了したので、カウンタで会計処理を行うように促すメッセージを表示する（Ｓ３３２０）。印刷が完了していない場合は、モニタ１７０３に印刷状況画面を表示する。
【０２２２】
図５３は印刷状況画面の表示例である。印刷状況画面では、サテライトの利用者が印刷要求したすべての写真について、印刷中であるか、印刷が終了したかどうかが表示される。印刷枚数が多いために情報が１画面に収まらない場合には、スクロールボタン等を利用することで、全ての写真について印刷状況を確認することができる。
【０２２３】
なお、図５３の表示例では、文字情報しか表示していないが、例えば写真のサムネイル等も表示すると、どの写真の印刷が終了したのか、利用者が直感的に知ることができて便利である。
【０２２４】
会計処理を終了した利用者は、写真の受け取り、代金の支払いを行うため、プレイヤカードを持って、カウンタに行くことになる。
【０２２５】
カウンタにおける処理全般については、既に図２７を使用して説明したが、利用者からプレイヤカードを受け取り、これをＩＣカードＲ／Ｗ０８０６に挿入することにより、そのプレイヤカードを持っている利用者に対する処理が可能になる。以下、写真引渡処理（図２７のＳ２７１３）、追加印刷処理（Ｓ２７１４）、会計処理（Ｓ２７１５）について、順次説明する。
【０２２６】
図５４は、写真引渡処理の概要を示すフローチャートである。従業員がカウンタメニュー画面で「写真引渡」を選択すると、ＣＰＵ０８０１はモニタ０８０３に、写真引渡画面を表示する（Ｓ５４０１）。
【０２２７】
写真引渡画面の表示例を、図５５に示す。写真引渡画面には、利用者が使用していたサテライトの番号、利用者が印刷した写真の枚数が表示され、各写真ごとに、印刷画像ＩＤ、印刷サイズ、印刷状態などの情報が表示される。印刷枚数が多いために情報が１画面に収まらない場合には、スクロールボタン等を利用することで、全ての写真について印刷状況を確認することができる。
【０２２８】
印刷画像ＩＤは、当日、自動写真館において印刷された写真を一意に識別するためのＩＤである。このようなＩＤは、例えば、サーバシステム０１０３の磁気ディスク０７０８に印刷画像ＩＤカウンタ情報を保持し、当日サーバシステム０１０３を立ち上げたときに０を設定し、サテライトシステム０１１０から印刷対象とする画像ＩＤが送付されてくる毎に、印刷画像ＩＤカウンタ情報を１ずつアップすることにより実現することができる。また、当日内の通番に、当日の年月日等を組み合わせて、印刷画像ＩＤとしても良い。このようにした上で、各印刷画像ＩＤ毎の情報（印刷指示されたサテライト番号、印刷年月日、サイズ、画像情報等）を一定期間保存することにより、後日、利用者から写真について問合せがあったときに、印刷画像ＩＤをキー項目として情報を検索し、利用者に対応することができるようになる。
【０２２９】
なお、画像ＩＤは、印刷画像ＩＤとは異なり、当日、自動写真館において静止画撮影された画像（写真）を一意に識別するためのＩＤであり、利用者ＩＤ、サテライト番号、スタジオ番号、スタジオでの撮影の通番を組み合わせることなどで作成し、管理される。
【０２３０】
写真引渡画面には印刷状態として、「未印刷」、「印刷中」、「印刷済」の３つの状態が表示され得る。「未印刷」は、サテライトにおいて印刷指示がされたものの、未だ印刷を開始していない状態、「印刷中」は、印刷を開始しており、印刷が完了していない状態、「印刷済」は、印刷が完了した状態を示す。
【０２３１】
写真引渡画面で、印刷状態として「未印刷」または「印刷中」が表示された場合には、利用者がサテライトにおいて会計処理を行っていないので、利用者にサテライトに引き返して、印刷が終了するまで待つように指示しても良い。あるいは、そのままカウンタで印刷が終了するまで待たせても良い。利用者をカウンタで待たせる場合には、サテライトでは会計処理が行われないままになるため、サテライトシステム０１１０において、会計処理実施を契機として、利用者情報（例えば、利用者がサテライトにおいて行った処理の履歴等）を初期化するなどの処理を行ってはならず、このような処理は、新たな利用者がサテライトにやってきた時点で行うようにしなければならない。
【０２３２】
全ての写真が印刷されたときに、従業員はまとめて利用者に渡し、引き続き、追加印刷又は会計処理を行う。
【０２３３】
図５６は、追加印刷処理の概要を示すフローチャートである。従業員がカウンタメニュー画面で「追加印刷」を選択すると、ＣＰＵ０８０１はモニタ０８０３に、印刷画像ＩＤ入力画面を表示する（Ｓ５６０１）。追加印刷処理は、利用者が印刷済み写真を気に入り、追加印刷を希望したときに行う処理である。印刷画像ＩＤを印刷済み写真の余白などに印刷しておけば、追加印刷すべき写真を簡単に指定することができる。
【０２３４】
従業員が、追加印刷対象の写真の印刷画像ＩＤを入力し、確認ボタンをタッチすると（Ｓ５６０２、Ｓ５６０３）、ＣＰＵ０８０１はプリンタシステム０１０５に、指定された印刷画像ＩＤを付与された写真が存在するかどうか問い合わせる（Ｓ５６０４）。存在しない場合には、エラー画面を表示し（Ｓ５６０５）、確認ボタンがタッチされると（Ｓ５６０６）、再度、印刷画像ＩＤ入力画面を表示する（Ｓ５６０１）。
【０２３５】
指定された印刷画像ＩＤの写真が存在する場合には、印刷サイズ指定画面を表示して、印刷サイズの選択を受け（Ｓ５６０７）、印刷枚数指定画面を表示して、印刷枚数の入力を受け（Ｓ５６０８）、プリンタシステム０１０５に、印刷すべき印刷画像ＩＤ、印刷サイズ、印刷枚数を送信し、プリンタシステム０１０５から印刷終了が伝えられると、印刷終了画面を表示して（Ｓ５６０９）、印刷が終わったことを示す。従業員が確認ボタンをタッチすると、追加印刷処理は終了する。
【０２３６】
従業員は、カウンタで待っている利用者に追加印刷した写真を引き渡し、引き続き、再度の追加印刷又は会計処理を行う。
【０２３７】
以上、説明した追加印刷処理は、プリンタシステム０１０５においても実施することができる。例えば、カウンタが来客処理で忙しい場合などに、プリンタシステム０１０５を使用して追加印刷処理を行うことにより、利用者を不必要に待たせることなく、処理を行うことができる。
【０２３８】
図５７は、プリンタシステム０１０５における追加印刷処理の概要を示すフローチャートである。処理の内容は、ここまで説明したことの繰り返しになるので、省略する。
【０２３９】
図５８は、カウンタでの会計処理の概要を示すフローチャートである。従業員がカウンタメニュー画面で「会計」を選択すると、ＣＰＵ０８０１はモニタ０８０３に、会計確認画面を表示する（Ｓ５８０１）。
【０２４０】
会計確認画面の表示例を、図５９に示す。会計確認画面には、利用者が使用していたサテライトの番号、利用者が印刷した写真の枚数、利用者の人数が表示され、印刷した写真を１枚あたりの料金の区分（例えば印刷サイズ）ごとに枚数表示する。
【０２４１】
従業員は、会計確認画面を見て、利用料金を計算することができる。なお、写真サイズごとの料金や、利用者１人あたりの料金、利用時間による割増料金等、料金計算を行うために必要な情報全てを、予めサーバシステム０１０３またはカウンタシステム０１０４に設定しておき、会計確認画面上に料金を計算して表示しても良い。
【０２４２】
従業員が会計完了ボタンをタッチすると（Ｓ５８０２）、ＣＰＵ０８０１はプレイヤカードに記録されていたカード種別以外の情報を初期値クリアし（Ｓ５８０３）、会計処理は終了する。また、キャンセルボタンをタッチすると（Ｓ５８０２）、ＣＰＵ０８０１は、会計処理を終了する。
【０２４３】
会計処理が終了すると、従業員は、カウンタで待っていた利用者から利用料金を受け取り、利用者は自動写真館から退館する。
【０２４４】
以上が、本実施形態の自動写真館の基本的な動作である。以下、本実施形態における各処理のバリエーションについて、いくつか補足説明する。
【０２４５】
まず、カウンタシステム０１０４において、図２７のフローチャート等により、来客処理（Ｓ２７１２）、写真引渡処理（Ｓ２７１３）、追加印刷処理（Ｓ２７１４）、会計処理（Ｓ２７１５）の４つの処理を行うことができると説明した。
【０２４６】
基本的な処理としては、以上４つの処理で十分であるが、例えば、利用者が指定したサテライトについて不満を示したり、来客処理終了後、利用者の一部が急に帰ったために利用者人数が減少したり、利用者がプレイヤカードを紛失したりと、さまざまな状況が発生する。また、カウンタシステム０１０４をメンテナンスする必要もある。そこで、基本的な４つの処理に加えて、「その他」の処理を実行できるようにしておくと便利である。
【０２４７】
具体的には、図２７のフローチャートにおいて、従業員が写真館画面から「その他」を選択した場合（Ｓ２７１１）、その他処理が実行されるようにすれば良い。その他処理においては、その他処理選択画面を表示して、さらに実行すべき処理が選択できるようにする。図６０にその他処理選択画面の表示例を示す。
【０２４８】
従業員が、「席移動」を選択すると、これまで選択していたサテライトが「空き」状態になり、新たにサテライトを選択することができる。この場合、利用者がサテライトでスタジオ予約等の処理を既に実施していた場合には、サテライト間で必要な情報を送受信する必要がある。
【０２４９】
従業員が、「客人数変更」を選択すると、プレイヤカードに記録されていた利用者人数が更新される。この場合、例えば、利用者がもともとは２人であり、２人掛けのサテライトが選択されており、変更後の人数が４人になる場合には、利用者を４人掛けのサテライトに席移動させる必要がある。従ってこのような場合には、プレイヤカードの利用者人数を更新した後、席移動が実行されるようにすべきである。
【０２５０】
従業員が、「プレイヤカード再発行」を選択すると、新たなプレイヤカードに利用者情報が書き込まれる。書き込むべき利用者情報は、利用者が使用していたサテライトから得ることができる。
【０２５１】
従業員が、「メンテナンス」を選択すると、カウンタシステム０１０４のバージョンアップなどのシステムメンテナンス作業が可能になる。
【０２５２】
バリエーションの２つ目として、カウンタシステム０１０４での各処理が終了した時に表示する画面を変更することが考えられる。具体的には、図２７のフローチャートにおいて、来客処理（Ｓ２７１２）、写真引渡処理（Ｓ２７１３）、追加印刷処理（Ｓ２７１４）、会計処理（Ｓ２７１５）が終了した場合、オペレータカード挿入用画面を表示するようになっている。
【０２５３】
大規模な店舗で、複数のカウンタシステムを来客処理、写真引渡処理、追加印刷処理、会計処理等に分けて使用する場合はこれでも良いが、全ての処理を１つのカウンタシステムで行うような場合には、例えば写真引渡処理終了後、プレイヤカードを一旦引き抜き、オペレータカードを挿入して、会計処理を選択して、再度プレイヤカードを挿入しなければならず、無駄である。従って、カウンタシステムが１つだけの店舗においては、写真引渡処理、追加印刷処理が終了した後は、プレイヤカードを引き抜くことなく、写真館画面が表示され、そこでメニューを選択したときにプレイヤカードが挿入済みであれば、プレイヤカードを挿入要求することなく、選択された各処理を実行するようにすれば良い。
【０２５４】
バリエーションの３つ目として、サテライトシステム０１１０において、モニタ１７０３に、利用者が行うべき処理を順番に表示すると、初めて使用する利用者もとまどうことなく各処理を行うことができる。
【０２５５】
例えば、図６１に示すように、利用者が行う各処理の流れを、モニタ１７０３の端部に常に表示しておくことができる。例えば利用者がサテライトに着いたときには、「予約」の文字を赤く表示し、これからスタジオ予約を行わなければならないことを、利用者に示すのである。
【０２５６】
このようにする場合には、サテライトシステム０１１０での処理の流れも、表示の順になるようにすべきである。具体的には、図３３においてサテライトメニュー画面を表示する（Ｓ３３１４）タイミングにおいて、サテライトメニュー画面は表示せず、利用者が行うべき処理（スタジオ予約、レタッチ処理、プリント指示処理、会計処理）を行うようにすれば良い。さらに、レタッチ処理、プリント指示処理が終了したタイミングでは終了画面を表示する（Ｓ３３２０）のでなく、それぞれ、プリント指示処理、会計処理を行うようにすれば良い。  
このようにすると、利用者の自由度は低くなるが、処理の手順は分かりやすくなる。
【０２５７】
印刷終了した後で、再度、スタジオ予約から繰り返すことを可能にすることもできる。この場合には、モニタ１７０３の端部に図６２に示すような処理の流れを常に表示すればよい。また、プリント指示処理が終了したタイミングで、利用者に、再度のスタジオ予約を行うか、会計処理を行うか選択させれば良い。
【０２５８】
続いて、本発明の他の実施形態を、図面を用いて説明する。図４は、本発明の他の一実施形態に係る自動写真館の館内構造を示す配置図である。
【０２５９】
本実施形態が前述してきた実施形態と異なっているのは、本実施形態では入口０１１２と出口０１１３が分かれていることと、パウダールーム０１１５、衣装棚０１１６を備えていることである。利用者は、スタジオが空くまでの時間、衣装棚０１１６から気に入った服や小物を選び、パウダールーム０１１５で、着替えや化粧を行うことができる。
【０２６０】
先の実施形態においては、服や小物がスタジオ０１０７の中に置かれているため、例えば、入館時にクレジットカードの提示を求めて利用者の信用調査を行う等により、盗難をある程度防止することができるが、本実施形態においては、服や小物が館内にむき出しに置かれるため、利用者を装って外部からこっそり入ったものに盗まれる可能性が増加する。このため、本実施形態においては、館内に置かれた物品のうち盗難の恐れがあるものには小型の無線タグを取り付け、入口０１１２と出口０１１３において、盗難防止の確認を行う。
【０２６１】
図５は、入口０１１２を斜め上方から見た図である。入り口周辺壁０５０１には、無線タグ電波受信機０５０３が内蔵され、館内から無線タグ付きの物品が持ち出されそうになった場合には、ブザー等により従業員に警告する。
【０２６２】
入口０１１２の幅が広い場合には、適当な間隔で入り口柱０５０２を設け、ここにも無線タグ電波受信機０５０３を内蔵させる。入口専用であるので、ここから出ようとすると周りに目立つことに加え、上記のような無線タグ電波受信機０５０３による防犯対策を行うことで、入口０１１２を使用しての盗難が困難になる。
【０２６３】
図２３は、出口０１１３を斜め上方から見た図である。出口０１１３の出口通路２３０２には、可動式の出口扉２３０１が設置されており、壁には無線タグ電波受信機２３０４が内蔵されている。館内から無線タグ付きの物品が持ち出されそうになった場合には、ブザー等により従業員に警告する。
【０２６４】
さらに、出口扉２３０１は、出口ＩＣカードＲ／Ｗ２３０３にプレイヤカードを挿入しなければが開かないようになっているので、利用者以外のものがこっそり進入して、カウンタを通らずに店を出たり、利用者が料金を支払わずに店を出ることを防止できる。なお、本実施形態においては、プレイヤカードはカウンタでは回収されず、出口ＩＣカードＲ／Ｗ２３０３から内部に送り込まれることにより回収される。また、入館したものの利用することをやめた利用者については、カウンタにおいて退出のためのプレイヤカードを貸与すればよい。
【０２６５】
なお、無線タグによる対策に変え、入口と出口で利用者の写真を自動的に撮影し、服装の相違を自動判定するなどの方法も考えられる。
【０２６６】
利用者の信用確認をさらに強化する方法としては、自動写真館を会員制のサービスとし、利用者が初めて来館（入館）した時に入会処理を行い、その際に会員カードを発行するようにしても良い。入会時に身分証明書の提示を求める、あるいは、支払方法をクレジットカードに限定する等の方法を採用することにより、利用者に信用を確認することができる。
【０２６７】
さらに、会員カードを、鉄道などで使用されているように、現金の代わりにいわゆる電子財布として使用可能なＩＣカード化し、料金支払方法を、会員カードによる決済に限定することも可能である。このようにすれば、入館時に会員カードの残金を確認する、一定料金を前払いさせる等により、利用料金の未払いを防止することができる。
【０２６８】
会員カードを使用して、会員の利用履歴を把握することで、一定料金以上利用した会員に対して、料金割引、無料での追加印刷サービス提供などを行う、あるいは利用者が退出する前にアンケートを行い、アンケート協力者には次回の料金を割引する、というように利用者に対するサービスを充実させ、リピート客の増加を図ることもできる。
【０２６９】
なお、利用者が複数人のグループの場合、その内の１人が会員であれば利用できるようにしても良い。この場合には、会員１名が代表して料金を支払うか、グループの中の複数人の会員が割缶で支払うようにすることもできる。
【０２７０】
写真撮影に加えて、飲食物の提供サービスを行っても良い。また、貸衣装のそれぞれに料金を設定することも可能である。以上のようなサービスを提供する場合、飲食物の食器や貸衣装に微小な無線タグを取り付けておき、無線タグに記録されたＩＤあるいは料金を、サテライトやスタジオにおいて自動的に読み取ることにより、従業員の手間を掛けずに利用料金に加算することができる。利用者には領収書で、飲食、貸衣装の内訳を提示するようにすれば良い。
【０２７１】
貸衣装や小物に無線タグを取り付けた場合には、料金精算だけでなく、無線タグに記録されたＩＤ等をスタジオにおいて自動的に読み取ることにより、その衣装や小物に合った最適な撮影条件（照明等）で撮影することも可能になる。
【０２７２】
さらに、貸衣装をクロマキー合成が容易な色にしておき、衣装の色や柄はレタッチ時点で合成するようにしても良い。このようにすることで、衣装の数を最小限にすることができる。
【０２７３】
この他のサービスとして、利用者の手荷物等の一時的預かり、撮影用の衣装の常時預かりサービスなども考えられる。
【０２７４】
レタッチ処理においても、先の実施形態と異なる方式が可能である。例えば、複数のサテライト間で画像を交換する、異なるサテライトでレタッチ中のコンテンツ呼び出し可能にする、同時に同じ画像を複数サテライトでレタッチする、１サテライトのレタッチを全てのサテライトに反映する、他のサテライトの利用者の写真やレタッチ内容の一覧を表示・確認できるようにする、などサテライト横断的な処理を可能にすることも考えられる。このようにすることで、多人数のグループが複数のサテライトに分かれた場合でも、グループとして撮影やレタッチを楽しむことが可能になる。ただし、同じ画像を複数のサテライトでレタッチ可能にする場合には、処理が重複しないように排他制御を行う必要がある。
【０２７５】
同じグループに限らず、サテライトシステム０１０６を使用して他の利用者グループと、チャットできるようにすることも可能である。このようにすることで、撮影待ちの時間を退屈せずに過ごすことができる。
【０２７６】
また、撮影した画像を保存しておき、次回来館したときに、再度印刷できるようにしても良い。会員制として、さらにこのようにすることにより、会員の写真を長期間にわたって保存し、適当なタイミングで纏めて印刷して楽しむようなことも可能になる。
【０２７７】
次に、本実施形態についての印刷処理における特徴を説明する。図６３は、本実施形態において使用するＩＣカード（印刷カード）のデータ構造を示す図である。図において、カード種別（Ｄ６２０１）は、このＩＣカードが印刷カードであることを示す識別コードである。印刷可能枚数（Ｄ６２０２）には、印刷を許容する枚数が設定されている。
【０２７８】
印刷画像の品質を所定水準に保持するためには、印刷用紙としてはプリンタやインク等の適性に合わせたものを使用することが望ましい。しかしながら、自動写真館の店舗責任者等が適性の劣る安価な用紙を使用してランニングコストを低下させようとする可能性がある。このようなことが行われると、長期的には利用者が印刷品質についての不満を持ち、そのことがきっかけとなって、自動写真館の収支を悪化させるようなことも起こりうる。
【０２７９】
このような事態が発生することを防止するために、適正な用紙一定量と、用紙の枚数を記録した印刷カードをセットとして自動写真館に供給すればよい。すなわち、このときに供給される印刷カードには、印刷可能枚数（Ｄ６２０２）として、同時にセットで供給した用紙の枚数が設定されている。自動写真館の従業員が、印刷カードをプリンタシステム０１０５のＩＣカードＲ／Ｗ０９０６に挿入すると、ＣＰＵ０９０１は、印刷カードに設定された印刷可能枚数（Ｄ６２０２）を読込み、これをサーバシステム０１０３に送信する。サーバシステム０１０３のＣＰＵ０７０１は送信された印刷可能枚数を、磁気ディスク０７０８の印刷可能枚数カウンタに加算する。なお、磁気ディスク０７０８の印刷可能枚数カウンタには、サーバシステム０１０３を初期設定する時点で０が設定されている。
【０２８０】
このようにすることで、磁気ディスク０７０８の印刷可能枚数カウンタには、常に供給された用紙の合計枚数が設定される。プリンタシステム０１０５は、印刷を行うたびに、サーバシステム０１０３に印刷可能枚数カウンタの値を問合せ、値が０以下の場合にはプリント指示処理を中止して、その旨をプリント用モニタ０９０３に表示する。値が１以上の場合には、印刷が正常終了した時点で、サーバシステム０１０３に印刷可能枚数カウンタの値を減算するように要求する。
【０２８１】
以上の仕組みにより、適正に供給された用紙が使用されるようにすることができる。なお、印刷可能枚数は、例えばＬサイズに換算してカウントし、２Ｌサイズの用紙を使用して印刷した場合には２枚印刷したものとして、印刷可能枚数カウンタからの減算を行うことにより、用紙サイズごとにカウンタを設けることなく、より単純な仕組みで用紙枚数の管理を行うことができる。
【０２８２】
なお、上述してきた説明では、プレイヤカードやオペレータカードに、ＩＣカードを用いるとしているが、ＩＣカードに代替して磁気カードを用いるようにしてもよい。あるいは、ＩＣカードや磁気カードなどのカード状情報記憶媒体に限らず、他のリムーバブルな情報記憶媒体（スティック状のＩＣメモリや、ＩＣタグを貼着ないし埋設した物体等）を用いるようにしてもよい。
【図面の簡単な説明】
【０２８３】
【図１】本発明の一実施形態に係る自動写真館の館内構造を示す配置図である。
【図２】本発明の一実施形態に係る自動写真館の概略のシステム構成図である。
【図３】本発明の一実施形態に係る自動写真館における、利用者による写真館利用の流れを示すフローチャートである。
【図４】本発明の他の実施形態に係る自動写真館の館内構造を示す配置図である。
【図５】本発明の他の実施形態に係る自動写真館の出入り口を斜め上方から見た説明図である。
【図６】本発明の一実施形態に係る自動写真館のカウンタを斜め上方から見た説明図である。
【図７】本発明の一実施形態に係る自動写真館のサーバシステムのブロック図である。
【図８】本発明の一実施形態に係る自動写真館のカウンタシステムのブロック図である。
【図９】本発明の一実施形態に係る自動写真館のプリンタシステムのブロック図である。
【図１０】本発明の一実施形態に係る自動写真館のシステム管理ファイルのデータ構造を示す説明図である。
【図１１】本発明の一実施形態に係る自動写真館のプレイヤカード登録ファイルのデータ構造を示す説明図である。
【図１２】本発明の一実施形態に係る自動写真館のオペレータカード登録ファイルのデータ構造を示す説明図である。
【図１３】本発明の一実施形態に係る自動写真館のサテライト使用状況ファイルのデータ構造を示す説明図である。
【図１４】本発明の一実施形態に係る自動写真館のスタジオ予約状況ファイルのデータ構造を示す説明図である。
【図１５】本発明の一実施形態に係る自動写真館の印刷状況ファイルのデータ構造を示す説明図である。
【図１６】本発明の一実施形態に係る自動写真館のサテライトを斜め上方から見た説明図である。
【図１７】本発明の一実施形態に係る自動写真館のサテライトシステムのブロック図である。
【図１８】本発明の一実施形態に係る自動写真館のスタジオを斜め上方から見た説明図である。
【図１９】本発明の一実施形態に係る自動写真館のスタジオを上方から見た説明図である。
【図２０】本発明の一実施形態に係る自動写真館のスタジオのスタジオ部を上方から見た説明図である。
【図２１】本発明の一実施形態に係る自動写真館のスタジオのスタジオ部を横から見た説明図である。
【図２２】本発明の一実施形態に係る自動写真館のスタジオシステムのブロック図である。
【図２３】本発明の他の実施形態に係る自動写真館の出口を斜め上方から見た説明図である。
【図２４】本発明の一実施形態に係る自動写真館のオペレータカード作成の流れを示すフローチャートである。
【図２５】本発明の一実施形態に係る自動写真館のオペレータカードのデータ構造を示す説明図である。
【図２６】本発明の一実施形態に係る自動写真館の表示画面の例を示す説明図である。
【図２７】本発明の一実施形態に係る自動写真館のカウンタ処理の流れを示すフローチャートである。
【図２８】本発明の一実施形態に係る自動写真館の表示画面の例を示す説明図である。
【図２９】本発明の一実施形態に係る自動写真館の表示画面の例を示す説明図である。
【図３０】本発明の一実施形態に係る自動写真館の来客（入館）処理の流れを示すフローチャートである。
【図３１】本発明の一実施形態に係る自動写真館の表示画面の例を示す説明図である。
【図３２】本発明の一実施形態に係る自動写真館のプレイヤカードのデータ構造を示す説明図である。
【図３３】本発明の一実施形態に係る自動写真館のサテライト処理の流れを示すフローチャートである。
【図３４】本発明の一実施形態に係る自動写真館の表示画面の例を示す説明図である。
【図３５】本発明の一実施形態に係る自動写真館の表示画面の例を示す説明図である。
【図３６】本発明の一実施形態に係る自動写真館の表示画面の例を示す説明図である。
【図３７】本発明の一実施形態に係る自動写真館の表示画面の例を示す説明図である。
【図３８】本発明の一実施形態に係る自動写真館のスタジオ予約処理の流れを示すフローチャートである。
【図３９】本発明の一実施形態に係る自動写真館のスタジオ案内画面表示処理の流れを示すフローチャートである。
【図４０】本発明の一実施形態に係る自動写真館の表示画面の例を示す説明図である。
【図４１】本発明の一実施形態に係る自動写真館の表示画面の例を示す説明図である。
【図４２】本発明の一実施形態に係る自動写真館の表示画面の例を示す説明図である。
【図４３】本発明の一実施形態に係る自動写真館の表示画面の例を示す説明図である。
【図４４】本発明の一実施形態に係る自動写真館のスタジオ処理の流れを示すフローチャートである。
【図４５】本発明の一実施形態に係る自動写真館の表示画面の例を示す説明図である。
【図４６】本発明の一実施形態に係る自動写真館の表示画面の例を示す説明図である。
【図４７】本発明の一実施形態に係る自動写真館の表示画面の例を示す説明図である。
【図４８】本発明の一実施形態に係る自動写真館のプリント指示処理の流れを示すフローチャートである。
【図４９】本発明の一実施形態に係る自動写真館の表示画面の例を示す説明図である。
【図５０】本発明の一実施形態に係る自動写真館の表示画面の例を示す説明図である。
【図５１】本発明の一実施形態に係る自動写真館の表示画面の例を示す説明図である。
【図５２】本発明の一実施形態に係る自動写真館の表示画面の例を示す説明図である。
【図５３】本発明の一実施形態に係る自動写真館の表示画面の例を示す説明図である。
【図５４】本発明の一実施形態に係る自動写真館の写真引渡処理の流れを示すフローチャートである。
【図５５】本発明の一実施形態に係る自動写真館の表示画面の例を示す説明図である。
【図５６】本発明の一実施形態に係る自動写真館の追加印刷処理の流れを示すフローチャートである。
【図５７】本発明の一実施形態に係る自動写真館の他の追加印刷処理の流れを示すフローチャートである。
【図５８】本発明の一実施形態に係る自動写真館の会計処理の流れを示すフローチャートである。
【図５９】本発明の一実施形態に係る自動写真館の表示画面の例を示す説明図である。
【図６０】本発明の一実施形態に係る自動写真館の表示画面の例を示す説明図である。
【図６１】本発明の一実施形態に係る自動写真館の表示画面の例を示す説明図である。
【図６２】本発明の一実施形態に係る自動写真館の表示画面の例を示す説明図である。
【図６３】本発明の他の実施形態に係る自動写真館の印刷カードのデータ構造を示す説明図である。
【符号の説明】
【０２８４】
０１０１  自動写真館
０１０２  カウンタ
０１０３  サーバシステム
０１０４  カウンタシステム
０１０５  プリンタシステム
０１０６  サテライト
０１０７  スタジオ
０１０８  厨房
０１０９  出入り口
０１１０  サテライトシステム
０１１１  スタジオシステム
０１１２  入り口
０１１３  出口
０１１４  通信回線
０１１５  パウダールーム
０１１６  衣装棚
０５０１  入り口周辺壁
０５０２  入り口柱
０５０３  無線タグ電波受信機
０７００  （サーバシステムの）ＰＣ本体
０７０１  （サーバシステムの）ＣＰＵ
０７０２  （サーバシステムの）メモリ
０７０３  （サーバシステムの）モニタ
０７０４  （サーバシステムの）タッチペン
０７０５  （サーバシステムの）画像出力部
０７０６  （サーバシステムの）ＩＣカードＲ／Ｗ
０７０７  （サーバシステムの）通信インタフェース
０７０８  （サーバシステムの）磁気ディスク
０８００  （カウンタシステムの）ＰＣ本体
０８０１  （カウンタシステムの）ＣＰＵ
０８０２  （カウンタシステムの）メモリ
０８０３  （カウンタシステムの）モニタ
０８０４  （カウンタシステムの）タッチペン
０８０５  （カウンタシステムの）画像出力部
０８０６  （カウンタシステムの）ＩＣカードＲ／Ｗ
０８０７  （カウンタシステムの）通信インタフェース
０８０８  （カウンタシステムの）磁気ディスク
０９００  （プリンタシステムの）ＰＣ本体
０９０１  （プリンタシステムの）ＣＰＵ
０９０２  （プリンタシステムの）メモリ
０９０３  （プリンタシステムの）モニタ
０９０４  （プリンタシステムの）タッチペン
０９０５  （プリンタシステムの）画像出力部
０９０６  （プリンタシステムの）ＩＣカードＲ／Ｗ
０９０７  （プリンタシステムの）通信インタフェース
０９０９  （プリンタシステムの）プリンタ制御部
０９１０  （プリンタシステムの）プリンタ
１６０１  テーブル
１６０２  テーブルの上面
１６０３  テーブルの支柱
１７００  （サテライトシステムの）ＰＣ本体
１７０１  （サテライトシステムの）ＣＰＵ
１７０２  （サテライトシステムの）メモリ
１７０３  （サテライトシステムの）モニタ
１７０４  （サテライトシステムの）タッチペン
１７０５  （サテライトシステムの）画像出力部
１７０６  （サテライトシステムの）ＩＣカードＲ／Ｗ
１７０７  （サテライトシステムの）通信インタフェース
１７０８  （サテライトシステムの）磁気ディスク
１８０１  ドア
１８０２  着替場所
１８０３  スタジオ部
１８０４  手引きカーテン
１８０５  ソファー置き場
１８０６  小物棚
１８０７  椅子等置き場
１８０８  インターホン
１８０９  ホリゾントカーテン
２２００  （スタジオシステムの）ＰＣ本体
２２０１  （スタジオシステムの）ＣＰＵ
２２０２  （スタジオシステムの）メモリ
２２０３  （スタジオシステムの）モニタ
２２０５  （スタジオシステムの）画像出力部
２２０６  （スタジオシステムの）ＩＣカードＲ／Ｗ
２２０７  （スタジオシステムの）通信インタフェース
２２０８  （スタジオシステムの）磁気ディスク
２２２０  （スタジオシステムの）カメラ
２２２１  （スタジオシステムの）カメラ駆動装置
２２２２  （スタジオシステムの）画像入力部
２２２３  （スタジオシステムの）スピーカ
２２２４  （スタジオシステムの）音声出力部
２２２５  （スタジオシステムの）パターンメモリ
２２２６  （スタジオシステムの）照明装置
２２２７  （スタジオシステムの）面光源
２２２８  （スタジオシステムの）ストロボ
２２２８ａ  （スタジオシステムの）被写体用天井ストロボ
２２２８ｂ  （スタジオシステムの）クロマキー用天井ストロボ
２２２９  （スタジオシステムの）照明制御部
２２３０  （スタジオシステムの）背景機構
２２３１  （スタジオシステムの）背景機構制御部
２２３２  （スタジオシステムの）タイマ
２２３３  （スタジオシステムの）センサ
２２３４  （スタジオシステムの）撮影中ランプ
２２３５  （スタジオシステムの）撮影中ランプ制御部
２２３６  （スタジオシステムの）立ち位置指示ランプ制御部
２２３７  （スタジオシステムの）立ち位置指示ランプ
２２３８  （スタジオシステムの）視線指示ランプ制御部
２２３９  （スタジオシステムの）視線指示ランプ
２２４０  （スタジオシステムの）照射ランプ制御部
２２４１  （スタジオシステムの）ＩＣカードＲ／Ｗ照射ランプ
２２４２  （スタジオシステムの）カーテン操作スイッチ
２２４３  （スタジオシステムの）リモコン受け制御部
２２４４  （スタジオシステムの）リモコン受け
２２４５  （スタジオシステムの）リモコンスイッチ
２２４６  （スタジオシステムの）カメラ制御部
２３０１  出口扉
２３０２  出口通路
２３０３  出口ＩＣカードＲ／Ｗ
２３０４  無線タグ電波受信機
【図２】
2007013637.tif 000003
【図３】
2007013637.tif 000004
【図５】
2007013637.tif 000005
【図７】
2007013637.tif 000006
【図８】
2007013637.tif 000007
【図９】
2007013637.tif 000008
【図１０】
2007013637.tif 000009
【図１１】
2007013637.tif 000010
【図１２】
2007013637.tif 000011
【図１３】
2007013637.tif 000012
【図１４】
2007013637.tif 000013
【図１５】
2007013637.tif 000014
【図１７】
2007013637.tif 000015
【図１８】
2007013637.tif 000016
【図２２】
2007013637.tif 000017
【図２３】
2007013637.tif 000018
【図２４】
2007013637.tif 000019
【図２５】
2007013637.tif 000020
【図２６】
2007013637.tif 000021
【図２７】
2007013637.tif 000022
【図２８】
2007013637.tif 000023
【図２９】
2007013637.tif 000024
【図３０】
2007013637.tif 000025
【図３１】
2007013637.tif 000026
【図３２】
2007013637.tif 000027
【図３３】
2007013637.tif 000028
【図３４】
2007013637.tif 000029
【図３５】
2007013637.tif 000030
【図３６】
2007013637.tif 000031
【図３７】
2007013637.tif 000032
【図３８】
2007013637.tif 000033
【図３９】
2007013637.tif 000034
【図４０】
2007013637.tif 000035
【図４１】
2007013637.tif 000036
【図４３】
2007013637.tif 000037
【図４４】
2007013637.tif 000038
【図４５】
2007013637.tif 000039
【図４６】
2007013637.tif 000040
【図４７】
2007013637.tif 000041
【図４８】
2007013637.tif 000042
【図４９】
2007013637.tif 000043
【図５０】
2007013637.tif 000044
【図５１】
2007013637.tif 000045
【図５２】
2007013637.tif 000046
【図５３】
2007013637.tif 000047
【図５４】
2007013637.tif 000048
【図５５】
2007013637.tif 000049
【図５６】
2007013637.tif 000050
【図５７】
2007013637.tif 000051
【図５８】
2007013637.tif 000052
【図５９】
2007013637.tif 000053
【図６０】
2007013637.tif 000054
【図６１】
2007013637.tif 000055
【図６２】
2007013637.tif 000056
【図６３】
2007013637.tif 000057
【図１】
2007013637.tif 000058
【図４】
2007013637.tif 000059
【図６】
2007013637.tif 000060
【図１６】
2007013637.tif 000061
【図１９】
2007013637.tif 000062
【図２０】
2007013637.tif 000063
【図２１】
2007013637.tif 000064
【図４２】
2007013637.tif 000065